(57)【特許請求の範囲】
【請求項１】
無線通信システムにおける干渉を緩和するための方法であって、前記方法は、ユーザ機器（ＵＥ）が実行し、前記方法は、
干渉する基地局から無線送信を受信することと、
前記送信を生成するために前記干渉する基地局によって使用された利用可能なパラメータの制約付きセットにアクセスすることと、
前記パラメータの制約付きセットに基づく複数の仮説を使用して前記送信を復号化することと、
を具備する、方法。
【請求項２】
前記無線送信は、割り当て許可メッセージである、請求項１に記載の方法。
【請求項３】
前記利用可能なパラメータは、前記割り当て許可メッセージを送信するための前記リソースを含む、請求項２に記載の方法。
【請求項４】
スケジュールされたデータ送信に関するパラメータを得るために、前記復号化された割り当て許可メッセージを使用することを更に具備する、請求項２に記載の方法。
【請求項５】
ユーザ機器（ＵＥ）によって、前記データ送信を推定することを更に具備する、請求項４に記載の方法。
【請求項６】
前記データ送信を復号化することによって、前記データ送信を推定することを更に具備する、請求項５に記載の方法。
【請求項７】
ユーザ機器（ＵＥ）において、前記推定された送信をキャンセルすることを更に具備する、請求項４に記載の方法。
【請求項８】
前記無線送信は、制御チャネル又はデータ・チャネルである、請求項１に記載の方法。
【請求項９】
利用可能なパラメータは、ユーザ機器（ＵＥ）識別子を含み、前記ＵＥ識別子は、好ましい値のセットに制約される、請求項１に記載の方法。
【請求項１０】
ローカル記憶装置からの可能な無線ネットワーク識別子の前記制約付きセットにアクセスすることを更に具備する、請求項１に記載の方法。
【請求項１１】
前記干渉する基地局から中継される、サービング基地局からの前記利用可能なパラメータの制約付きセットに無線でアクセスすることを更に具備する、請求項１に記載の方法。
【請求項１２】
前記干渉する基地局からのブロードキャスト・チャネルから前記利用可能なパラメータの制約付きセットに無線でアクセスすることを更に具備する、請求項１に記載の方法。
【請求項１３】
前記送信を符号化するために使用されるユーザ機器識別スペースを制限することによって、前記利用可能なパラメータのセットを制限することを更に具備する、請求項１に記載の方法。
【請求項１４】
前記制限されたユーザ機器識別スペースは、前記干渉する基地局のセル識別子に基づいてセル特有である、請求項１３に記載の方法。
【請求項１５】
前記制限されたユーザ機器識別スペースは、セル特有でない、請求項１３に記載の方法。
【請求項１６】
前記制限されたユーザ機器識別スペースは、ターゲット・デバイス識別子のブロック単位で割り当てられ、割り当てを解除される、ここにおいて各ブロックは、全体の利用可能なスペースの、相対的に小さい部分を具備する、請求項１３に記載の方法。
【請求項１７】
前記制限されたユーザ機器識別スペースは、セル無線ネットワーク一時識別（ｃ−ＲＮＴＩ）値を具備する、請求項１３に記載の方法。
【請求項１８】
前記干渉する基地局は、フェムトセル・ホーム基地局を具備する、請求項１に記載の方法。
【請求項１９】
ダウンリンク許可リソーススペースを制限することによって、前記利用可能なパラメータのセットを制約することを更に具備する、請求項１に記載の方法。
【請求項２０】
ダウンリンク許可リソーススペースを共通スペースに制限することを更に具備する、請求項１９に記載の方法。
【請求項２１】
ダウンリンク許可リソーススペースを、フェムトセル・ホーム基地局によって提供されるサービスをサポートするように選択される、指定された数のインスタンスに制限することを更に具備する、請求項１９に記載の方法。
【請求項２２】
前記ダウンリンク許可リソーススペースを、複数のタイプのダウンリンク制御チャネルのうちの１つに制限することを更に具備する、請求項１９に記載の方法。
【請求項２３】
トラフィック送信をキャンセルすることを更に具備する、請求項１に記載の方法。
【請求項２４】
制御チャネル送信をキャンセルすることを更に具備する、請求項１に記載の方法。
【請求項２５】
干渉除去の利益を示すパイロット強度を報告することと、
干渉除去の利益をより少なく示すパイロット強度を報告している別の無線デバイスより後で、ハイブリッド自動再送要求に関連するターゲット終了を受信することと、
を更に具備し、
前記利用可能なダウンリンク・スケジューリング・パラメータの制約付きセットは、前記干渉する信号を符号化するために使用されるターゲット・デバイス識別子の低減されたセットを備え、また利用可能なダウンリンク許可の低減されたセットを備える、
請求項１に記載の方法。
【請求項２６】
干渉除去のために十分な時間の間リラックスされた、割り当てられたハイブリッド自動再送要求（ＨＡＲＱ）を受信することを更に具備する請求項１に記載の方法。
【請求項２７】
コンピュータに、干渉する基地局からの無線送信を受信させるためのコードのセットと、
前記コンピュータに、前記送信を生成するために前記干渉する基地局によって使用された利用可能なパラメータの制約付きセットにアクセスさせるためのコードのセットと、
前記コンピュータに、前記パラメータの制約付きセットに基づく複数の仮説を使用してユーザ機器（ＵＥ）で前記送信を復号化させるためのコードのセットと、
を具備する
無線通信システムにおける干渉を緩和するためのコンピュータプログラム。
【請求項２８】
干渉する基地局から無線送信を受信するための手段と、
前記送信を生成するために前記干渉する基地局によって使用された利用可能なパラメーの制約付きセットにアクセスするための手段と、
前記パラメータの制約付きセットに基づく複数の仮説を使用してユーザ機器（ＵＥ）で前記送信を復号化するための手段と、
を具備する、無線通信における干渉を緩和するための装置。
【請求項２９】
干渉する基地局から無線送信を受信するための受信機と、
前記送信を生成するために前記干渉する基地局によって使用された利用可能なパラメータの制約付きセットにアクセスするための計算プラットフォームと、
前記パラメータの制約付きセットに基づく複数の仮説を使用してユーザ機器（ＵＥ）で前記送信を復号化するための復号器と、
を具備する、無線通信システムにおける干渉を緩和するための装置。
【請求項３０】
前記無線送信は、割り当て許可メッセージである、請求項２９に記載の装置。
【請求項３１】
前記利用可能なパラメータは、前記割り当て許可メッセージを送信するための前記リソースを含む、請求項３０に記載の装置。
【請求項３２】
前記計算プラットフォームは、更に、スケジュールされたデータ送信に関するパラメータを得るために、前記復号化された割り当て許可メッセージを使用するためのものである、請求項３０に記載の装置。
【請求項３３】
前記計算プラットフォームは、更に、ユーザ機器（ＵＥ）によって、前記データ送信を推定するためのものである、請求項３２に記載の装置。
【請求項３４】
前記計算プラットフォームは、更に、前記データ送信を復号化することによって、前記データ送信を推定するためのものである、請求項３３に記載の装置。
【請求項３５】
前記計算プラットフォームは、更に、ユーザ機器（ＵＥ）において、前記推定された送信をキャンセルするためのものである、請求項３２に記載の装置。
【請求項３６】
前記無線送信は、制御チャネル又はデータ・チャネルである、請求項２９に記載の装置。
【請求項３７】
前記利用可能なパラメータは、ユーザ機器（ＵＥ）識別子を含み、前記ＵＥ識別子は、好ましい値のセットに制約される、請求項２９に記載の装置。
【請求項３８】
前記計算プラットフォームは、更に、ローカル記憶装置からの可能な無線ネットワーク識別子の制約付きセットにアクセスするためのものである、請求項２９に記載の装置。
【請求項３９】
前記受信機は、更に、前記干渉する基地局から中継される、サービング基地局からの前記利用可能なパラメータの制約付きセットに無線でアクセスするためのものである、請求項２９に記載の装置。
【請求項４０】
前記受信機は、更に、前記干渉する基地局からのブロードキャス・チャネルから前記利用可能なパラメータの制約付きセットに無線でアクセスするためのものである、請求項２９に記載の装置。
【請求項４１】
前記計算プラットフォームは、更に、前記送信を符号化するために使用されるユーザ機器識別スペースを制限することによって、前記利用可能なパラメータのセットを制約するためのものである、請求項２９に記載の装置。
【請求項４２】
前記制限されたユーザ機器識別スペースは、前記干渉する基地局のセル識別子に基づいてセル特有である、請求項４１に記載の装置。
【請求項４３】
前記制限されたユーザ機器識別スペースは、セル特有でない、請求項４１に記載の装置。
【請求項４４】
前記制限されたユーザ機器識別スペースは、ターゲット・デバイス識別子のブロック単位で割り当てられ、及び割り当てを解除され、ここにおいて各ブロックは、全体の利用可能なスペースの、相対的に小さい部分を具備する、請求項４１に記載の装置。
【請求項４５】
前記制限されたユーザ機器識別スペースは、セル無線ネットワーク一時識別（ｃ−ＲＮＴＩ）値を具備する、請求項４１記載の装置。
【請求項４６】
前記干渉する基地局は、フェムトセル・ホーム基地局を具備する、請求項２９に記載の装置。
【請求項４７】
前記計算プラットフォームは、更に、ダウンリンク許可リソーススペースを制限することによって、前記利用可能なパラメータのセットを制約するためのものである、請求項２９に記載の装置。
【請求項４８】
前記計算プラットフォームは、更に、ダウンリンク許可リソーススペースを共通スペースに制限するためのものである、請求項４７に記載の装置。
【請求項４９】
前記計算プラットフォームは、更に、ダウンリンク許可リソーススペースを、フェムトセル・ホーム基地局によって提供されるサービスをサポートするように選択される、指定された数のインスタンスに制限するためのものである、請求項４７に記載の装置。
【請求項５０】
前記計算プラットフォームは、更に、ダウンリンク許可リソーススペースを、複数のタイプのダウンリク制御チャネルのうちの１つに制限するためのものである、請求項４７に記載の装置。
【請求項５１】
前記計算プラットフォームは、更に、トラフィック送信をキャンセルするためのものである、請求項２９に記載の装置。
【請求項５２】
前記計算プラットフォームは、更に、制御チャネル送信をキャンセルするためのものである、請求項２９に記載の装置。
【請求項５３】
干渉除去の利益を示すパイロット強度を報告するための送信機、
ここにおいて前記受信機は、更に、干渉除去の利益をより少なく示すパイロット強度を報告している別の無線デバイスより後で、ハイブリッド自動再送要求に関連するターゲット終了を受信するためのものであり、
ここにおいて前記利用可能なダウンリンク・スケジューリング・パラメータの制約付きセットは、前記干渉する信号を符号化するために使用されるターゲット・デバイス識別子の低減されたセットを備え、また利用可能なダウンリンク許可の低減されたセットを備える、
を更に具備する、請求項２９に記載の装置。
【請求項５４】
干渉除去のために十分な時間の間リラックスされた、割り当てられたハイブリッド自動再送要求（ＨＡＲＱ）を受信することを更に具備する請求項２９に記載の装置。
【請求項５５】
無線デバイスが無線通信システムにおける干渉を緩和することを可能にするための方法であって、前記方法は、非サービング基地局が実行し、前記方法は、
利用可能なパラメータの制約付きセットにアクセスすることと、
ターゲット無線デバイスに割り当てられた前記利用可能なパラメータの制約付きセットのうちの選択された１つを使用して送信を符号化することと、
前記符号化された送信を無線でユニキャストすることと、
ここにおいて前記パラメータの制約付きセットは、サービスされないユーザ機器（ＵＥ）が前記リソースの制約付きセットに基づく複数の仮説を使用して前記送信を復号化するのに十分であるように選択される、
を具備する、方法。
【請求項５６】
サービスされる第１及び第２の無線デバイスからチャネル品質報告を受信することと、
前記サービスされる第１の無線デバイスは、干渉除去から利益を得るのに対して、第２の無線デバイスは、利益を得ないことを決定することと、
前記第２の無線デバイスより後のターゲット終了を前記第１の無線デバイスに割り当てることと、
を更に具備する、請求項５５に記載の方法。
【請求項５７】
前記送信を符号化するために使用されるターゲット・デバイス識別子の低減されたセットを具備し、また利用可能なダウンリンク許可の低減されたセットを具備する、前記利用可能なパラメータの制約付きセットにアクセスすることと、
干渉除去の利益を示すパイロット強度報告を受信することと、
ハイブリッド自動再送要求に関連するターゲット終了を送信することと、
を更に具備する、請求項５６に記載の方法。
【請求項５８】
コンピュータに、利用可能なパラメータの制約付きセットにアクセスさせるための第１のコードのセットと、
前記コンピュータに、ターゲット無線デバイスに割り当てられた前記利用可能なパラメータの制約付きセットのうちの選択された１つを使用して送信を符号化させるための第２のコードのセットと、
前記コンピュータに、前記符号化された送信を無線でユニキャストさせるための第３のコードのセットと、
を具備し、
前記パラメータの制約付きセットは、サービスされないユーザ機器（ＵＥ）が前記リソースの制約付きセットに基づく複数の仮説を使用して前記送信を復号化するのに十分であるように選択される、
無線デバイスが無線通信システムにおける干渉を緩和することを可能にするためのコンピュータプログラム。
【請求項５９】
利用可能なパラメータの制約付きセットにアクセスする手段と、
ターゲット無線デバイスに割り当てられた前記利用可能なパラメータの制約付きセットのうちの選択された１つを使用して送信を符号化するための手段と、
前記符号化された送信を無線でユニキャストするための手段と、
ここにおいて前記パラメータの制約付きセットは、サービスされないユーザ機器（ＵＥ）が前記リソースの制約付きセットに基づく複数の仮説を使用して前記送信を復号化するのに十分であるように選択される、
を具備する、無線デバイスが無線通信システムにおける干渉を緩和することを可能にするための装置。
【請求項６０】
利用可能なパラメータの制約付きセットにアクセスするための計算プラットフォームと、
ターゲット無線デバイスに割り当てられた前記利用可能なパラメータの制約付きセットのうちの選択された１つを使用して送信を符号化するための符号器と、
前記符号化された送信を無線でユニキャストするための送信機と、
ここにおいて前記パラメータの制約付きセットは、サービスされないユーザ機器（ＵＥ）が前記リソースの制約付きセットに基づく複数の仮説を使用して前記送信を復号化するのに十分であるように選択される、
を具備する、無線デバイスが無線通信システムにおける干渉を緩和することを可能にするための装置。
【請求項６１】
サービスされる第１及び第２の無線デバイスからチャネル品質報告を受信するための受信機、
ここにおいて前記計算プラットフォームは、更に、前記サービスされる第１の無線デバイスは、干渉除去から利益を得るのに対して、第２の無線デバイスは、利益を得ないことを決定するためのものであり、
ここにおいて前記送信機は、更に、前記第２の無線デバイスより後のターゲット終了を前記第１の無線デバイスに割り当てるためのものである、
を更に具備する、請求項６０に記載の装置。
【請求項６２】
前記計算プラットフォームは、更に、前記送信を符号化するために使用されるターゲット・デバイス識別子の低減されたセットを具備し、また利用可能なダウンリンク許可の低減されたセットを具備する、前記利用可能なパラメータの制約付きセットにアクセスするためのものであり、
ここにおいて前記受信機は、更に、干渉除去の利益を示すパイロット強度報告を受信するためのものであり、
ここにおいて前記送信機は、更に、ハイブリッド自動再送要求に関連するターゲット終了を送信する為のものである、
請求項６１に記載の装置。
【発明の詳細な説明】
【関連出願】
【０００１】
米国特許法第１１９条に基づく優先権の主張  
本出願は、本出願人にその権利が譲渡され、本明細書にその全文が参照により明確に組み込まれる、共に「Inter-cell Interference cancellation Framework」と題された、２００９年１月２６日に出願された仮米国特許出願第６１／１４７，４１１号及び２００９年１月２７日に出願された仮米国特許出願第６１／１４７，６１５号の優先権を主張する。
【技術分野】
【０００２】
以下記述は、一般に無線通信システムに関し、特に、ダウンリンク干渉を緩和するための方法に関する。
【背景技術】
【０００３】
無線通信システムは、音声、データ等のような、様々なタイプの通信コンテンツを提供するために幅広く展開されている。これらのシステムは、利用可能なシステムリソース（例えば、帯域幅及び送信電力）を共有することによって、多数のユーザとの通信をサポートすることが可能な多元接続システムであることができる。そのような多元接続システムの例は、符号分割多元接続（ＣＤＭＡ）システム、時分割多元接続（ＴＤＭＡ）システム、周波数分割多元接続（ＦＤＭＡ）システム、及び直交周波数分割多元接続（ＯＦＤＭＡ）システムを含む。
【０００４】
一般に、無線多元接続通信システムは、多数の無線端末の通信を同時にサポートできる。各端末は、順方向及び逆方向のリンク上の送信を介して、１つ又は複数の基地局と通信する。順方向リンク（又は、ダウンリンク）は、基地局から端末への通信リンクを指し、また、逆方向リンク（又は、アップリンク）は、端末から基地局への通信リンクを指す。この通信リンクは、単一入力単一出力、多入力単一出力、あるいは多入力多出力（ＭＩＭＯ）のシステムを介して確立されうる。
【０００５】
ＵＭＴＳ（Universal Mobile Telecommunications System）は、第３世代（３Ｇ）携帯電話技術の１つである。ＵＴＲＡＮ（ＵＭＴＳ Terrestrial Radio Access Networkの略）は、ＵＭＴＳコア・ネットワークを構成する無線ネットワーク制御装置（ＲＮＣ）及びベース・ノード（ノードＢ）のための総称である。この通信ネットワークは、リアルタイムの回線交換方式からＩＰを基にしたパケット交換方式までの多くのトラフィックタイプを搬送できる。ＵＴＲＡＮは、ＵＥ（ユーザ機器）とコア・ネットワークとの間の接続性を可能にする。ＵＴＲＡＮは、ノードＢと呼ばれる基地局、及び無線ネットワーク制御装置を含む。ＲＮＣは、１つ又は複数のノードＢのために制御機能を提供する。典型的なインプリメンテーションは、多数のノードＢをサービスする中央局に配置される個別のＲＮＣを有するが、ノードＢとＲＮＣは、同じデバイスであることができる。これらは、物理的に分離される必要がないという事実にもかかわらず、その間にはＩｕｂとして知られる論理インタフェースが存在する。ＲＮＣ及びその対応するノードＢは、無線ネットワーク・サブシステム（ＲＮＳ）と呼ばれる。ＵＴＲＡＮでは、１つ以上のＲＮＳが存在できる。
【０００６】
第３世代パートナシップ・プロジェクト（３ＧＰＰ）ＬＴＥ（Long Term Evolution）は、将来の要求（requirement）に対処するために、ＵＭＴＳ携帯電話の標準規格を改善するための３ＧＰＰ内のプロジェクトに与えられた名称である。その目標は、効率の改善、費用の低下、サービスの改善、新たなスペクトルの機会の利用、及び他のオープンスタンダードとのより良い統合を含む。ＬＴＥシステムは、発展型ＵＴＲＡ（Ｅ−ＵＴＲＡ）及び発展型ＵＴＲＡＮ（ＥＵＴＲＡＮ）の一連の仕様書に記述されている。
【０００７】
従来の同種配置では、ＵＥが、典型的に、最高のジオメトリ（geometry）（即ち、信号対雑音比）を有するセルに接続する。しかしながら、異種配置では、より弱い基地局への接続をＵＥに可能にすることに利益がある。例えば、ＵＥは、ネットワークに対して引き起こされる干渉を最小限にするために、たとえそのジオメトリがより低くても、最低のパスロスを有するセルに接続できる。同様に、制限されたアソシエーション（association）の場合、ＵＥは、最強のジオメトリの基地局に接続する許可を持っていないことがあるので、より弱いジオメトリの基地局に接続することを強制されうる。しかしながら、この状況は、サービング信号を受信するために緩和が必要となる、十分な強度の干渉を引き起こすことができる。
【発明の概要】
【０００８】
下記のものは、特許請求される主題事項の幾つかの態様の基本的な理解を提供するために、簡単化された概要を示す。本概要は、包括的な概観ではなく、主要な（key）／重要な（critical）要素を特定する、あるいは特許請求される主題事項の範囲を定めるようには意図されない。その唯一の目的は、後に示されるより詳細な説明への前置きとして、幾つかの概念を簡単化された形式で示すことにある。
【０００９】
１つ又は複数の態様及びその対応する開示に従って、様々な態様が、ダウンリンク・スケジュールされた送信（例えば、制御チャネル、トラフィック・チャネルなど）を復号化するために、ユーザ機器（例えば、アクセス端末、無線デバイス、セルラー・デバイスなど）のような無線デバイスに必要なブラインド仮説（blind hypotheses）の数を低減することに関連して記述される。
【００１０】
一態様では、干渉する基地局から無線送信を受信し、送信を生成するために干渉する基地局によって使用された利用可能なパラメータの制約付きセットにアクセスし、パラメータの制約付きセットに基づく複数の仮説を使用して送信を復号化することによって、無線通信システムにおける干渉を緩和するための方法が提供される。
【００１１】
追加の態様では、無線通信システムにおける干渉を緩和するためのコンピュータプログラム製品が提供される。コンピュータ可読記憶媒体が、コンピュータに、干渉する基地局からの無線送信を受信させるためのコードのセットを具備する。コードのセットが、コンピュータに、送信を生成するために干渉する基地局によって使用された利用可能なパラメータの制約付きセットにアクセスさせる。コードのセットが、コンピュータに、パラメータの制約付きセットに基づく複数の仮説を使用して送信を復号化させる。
【００１２】
別の態様では、無線通信システムにおける干渉を緩和するための装置が提供される。干渉する基地局から無線送信を受信するための手段が提供される。送信を生成するために干渉する基地局によって使用された利用可能なパラメータの制約付きセットにアクセスするための手段が提供される。パラメータの制約付きセットに基づく複数の仮説を使用して送信を復号化するための手段が提供される。
【００１３】
更なる態様では、無線通信システムにおける干渉を緩和するための装置が提供される。受信機が、干渉する基地局から無線送信を受信する。計算プラットフォームが、送信を生成するために干渉する基地局によって使用された利用可能なパラメータの制約付きセットにアクセスする。復号器が、パラメータの制約付きセットに基づく複数の仮説を使用して送信を復号化する。
【００１４】
さらに、一態様では、利用可能なパラメータの制約付きセットにアクセスし、ターゲット無線デバイスに割り当てられた利用可能なパラメータの制約付きセットのうちの選択された１つを使用して送信を符号化し、送信を無線でユニキャストすることによって、無線デバイスに無線通信システムにおける干渉を緩和することを可能にするための方法が提供され、ここにおいて干渉として符号化されたダウンリンク・チャネルを受信する別の無線デバイスが、ダウンリンク・スケジューリング・パラメータの制約付きセットに基づく複数の仮説を使用して干渉する信号を復号化し、且つターゲット信号を復号化するために干渉する信号をキャンセルする。
【００１５】
なお追加の態様では、無線デバイスに無線通信システムにおける干渉を緩和することを可能にするためのコンピュータプログラム製品が提供される。コンピュータ可読記憶媒体が、コンピュータに、利用可能なパラメータの制約付きセットにアクセスさせるためのコードのセットを具備する。コードのセットが、コンピュータに、ターゲット無線デバイスに割り当てられた利用可能なパラメータの制約付きセットのうちの選択された１つを使用して送信を符号化させる。コードのセットが、コンピュータに、符号化された送信を無線でユニキャストさせ、ここにおいてパラメータの制約付きセットは、サービスされないユーザ機器（ＵＥ）がリソースの制約付きセットに基づく複数の仮説を使用して送信を復号化するのに十分であるように選択される。
【００１６】
なお別の追加の態様では、無線デバイスに無線通信システムにおける干渉を緩和することを可能にするための装置が提供される。利用可能なパラメータの制約付きセットにアクセスするための手段が提供される。ターゲット無線デバイスに割り当てられた利用可能なパラメータの制約付きセットのうちの選択された１つを使用して送信を符号化するための手段が提供される。符号化された送信を無線でユニキャストするための手段が提供され、ここにおいてパラメータの制約付きセットは、サービスされないユーザ機器（ＵＥ）がリソースの制約付きセットに基づく複数の仮説を使用して送信を復号化するのに十分であるように選択される。
【００１７】
なお更なる態様では、無線デバイスに無線通信システムにおける干渉を緩和することを可能にするための装置が提供される。計算プラットフォームが、利用可能なパラメータの制約付きセットにアクセスする。符号器が、ターゲット無線デバイスに割り当てられた利用可能なパラメータの制約付きセットのうちの選択された１つを使用して送信を符号化する。送信機が、符号化された送信を無線でユニキャストし、ここにおいてパラメータの制約付きセットは、サービスされないユーザ機器（ＵＥ）がリソースの制約付きセットに基づく複数の仮説を使用して送信を復号化するのに十分であるように選択される。
【００１８】
前述及び関連した目的の達成のために、特定の例示的な態様が、次の記述及び添付図面に関連してここに記述される。しかしながら、これらの態様は、請求される主題事項の原理が使用されうる様々な方法のうちのほんのわずかを示し、請求される主題事項は、そのような態様の全て及びそれらと同等のものを含むように意図される。他の利点及び新規な特徴は、図面と併せて考慮されるときに、次に続く発明を実施するための形態から明白になりうる。
【図面の簡単な説明】
【００１９】
【図１】図１は、干渉する信号の復号化及び除去によって干渉緩和を実行するシステムの高水準ブロック図である。
【図２】図２は、ダウンリンク・スケジューリング・オプションを制約することによって、干渉する信号の復号化及び除去により干渉緩和を実行するユーザ機器及び基地局の無線通信システムの図である。
【図３】図３は、干渉緩和のためのオペレーションの方法（methodology）又はシーケンスのフローチャートを例示する。
【図４】図４は、多元接続無線通信システムを例示する。
【図５】図５は、フレーム構造プロトコルで使用できる実例的な通信システムを例示する。
【図６】図６は、フレーム構造プロトコルで使用できるもう１つの実例的な通信システムを例示する。
【図７】図７は、各々が干渉緩和の方法を実行するための計算プラットフォームを有する基ユーザ機器及び基地局のブロック図を図示する。
【図８】図８は、フレーム構造プロトコルを実行するための電子コンポーネントの論理的なグループ分けを有するシステムのブロック図を図示する。
【図９】図９は、フレーム構造プロトコルに関する電子コンポーネントの論理的なグループ分けを有するシステムのブロック図を図示する。
【図１０】図１０は、無線通信システムにおける干渉除去を緩和するための手段を有する装置のブロック図を図示する。
【図１１】図１１は、無線通信システムにおける干渉除去を向上させるための手段を有する装置のブロック図を図示する。
【発明を実施するための形態】
【００２０】
添付図面に関連する下記の詳細な説明は、本発明の様々な構成の記述として意図されており、本発明が実施されうるただ一つの構成を表すようには意図されていない。詳細な説明は、本発明の十分な理解を提供する目的のために、特定の詳細を含む。しかしながら、本発明がこれらの特定の詳細なしで実施されうることは、当業者にとっては明白であろう。幾つかの実例では、周知の構造及びコンポーネントが、本発明の概念を不明瞭にしないようにするためにブロック図形式で示される。
【００２１】
最初に図１を参照すると、無線通信システム１０が、サービング基地局２０から無線ネットワーク１８上でデータパケット通信をサービスされている無線デバイス１６において、非サービング（干渉する）基地局１４からのダウンリンク干渉１２を低減するためのシステム及び方法を提供する。一態様において、非サービング基地局１４は、ターゲット無線デバイス（示されていない）に関する制約された、スクランブリング／符号化（scrambling/encoding）無線ネットワーク識別子２２の低減されたセットに従う。有利なことに、非サービング基地局１４はまた、共通スペースへの制約付きダウンリンク許可リソース２４（例えば、インスタンスの数、制御チャネルのタイプ）に従う。それによって、無線デバイス１６は、制約付き無線ネットワーク識別子及び制約付きダウンリング許可リソースと関連する管理可能な数の復号化仮説２６を処理することによって、無線通信システム１８における干渉を緩和できる。なお別の態様において、サービング基地局２０は、２８で図示されるように、ダウンリンク・セットを処理し、ダウンリンク・データセットに関するターゲット終了レベルを生成する。終了レベルは、ハイブリッド自動再送要求（ＨＡＲＱ）と関連する。
【００２２】
ここで図２を参照すると、ネットワーク１００が、第２のデバイス１０６（又は、複数のデバイス）に無線ネットワーク（エア・リンク）１０４上で通信可能なエンティティであることができる１つ又は複数の基地局１０２（ノード、発展型ノードＢ−ｅＮＢ、サービングｅＮＢ、又はターゲットｅＮＢとも称される）を含む。例えば、各デバイス１０６は、アクセス端末（端末、ユーザ機器、移動管理エンティティ（ＭＭＥ）、又はモバイル・デバイスとも称される）であることができる。コンポーネント１０２及び１０６は、それぞれダウンリンク除去コンポーネント１０８及び１１０を含み、ここで除去コンポーネントは、ネットワーク１００にわたってダウンリンク干渉を緩和するために提供される。示されているように、基地局１０２は、ダウンリンク１１２を介してデバイス１０６に通信し、またアップリンク１１４を介してデータを受信する。デバイス１０６も、ダウンリンクを介してデータを送信し、アップリンク・チャネルを介してデータを受信できるので、このようなアップリンク及びダウンリンクという指定は任意である。２つのコンポーネント１０２及び１０６が示されているが、２つ以上のコンポーネントがネットワーク１０４上で使用されうることが留意され、ここで、そのような追加のコンポーネントはまた、ここに記述される向上された干渉除去のために適合されることができる。
【００２３】
ダウンリンク干渉除去は、特に、非サービング（例えば、性質の異なる又は干渉する）基地局１１８からの干渉する信号（例えば、トラフィック）１１６が、ダウンリンク１１２として図示されるサービング信号より強くなりうる、厳しく干渉制限されるシナリオにおいて、セル端（cell edge）のパフォーマンスを改善できる。この状況は、標準ＷＷＡＮ（無線広域ネットワーク）の配置で生じうる。例えば、この状況は、遅延ハンドオフの幾つかの場合と同様に、サーバ選択がより良いアップリンクに対して偏るときに、非対称のダウンリンク／アップリンク・チャネル強度の存在下で起こることができ、ここにおいてダウンリンク干渉除去は、接続落ちを防ぐのに役立ちうる。別のシナリオは、デバイス（例えば、ＵＥ）１０６が、関連するクローズド加入者グループ（ＣＳＧ）の基地局（例えば、「ＨｅＮＢ」）１０２に接続できる、ＣＳＧを有するフェムト・セルの配置（例えば、ＬＴＥにおけるホームｅＮＢ（「ＨｅＮＢ」）の配置）である。典型的な居住用の配置において、ＵＥ １０６は、そのローカルＨｅＮＢ １０２に接続でき、またそれが実質的に近隣のＨｅＮＢ １１８により近いときには、厳しい干渉を経験することができ、ここで近接は、リンク強度によって定義される。他のセル干渉除去は、サービング・チャネル品質が、サービングＨｅＮＢ １０２への基本接続を維持及び獲得するのに適切であるという条件で、ユーザ経験を改善する効率的な方法である。下記は、ＬＴＥ Ｒｅｌ−８のような既存のパケットデータ・システムにおける成功（successful）干渉除去への道のりでの幾つかの根本的な課題を記述する。
【００２４】
ネットワーク１００は、非サービング基地局１１８のためのＤＬスケジューリング符号化の低減されたセット１６０を定義できる。例えば、制約付きＵＥ ＩＤシーケンス１６２は、実行しなければならないブラインド復号化仮説の数を制限できる。代わりに、又は加えて、ＤＬ許可リソーススペース１６４が制限される。それによって、ＵＥ １０６は、ダウンリンク除去コンポーネント１１０を使用でき、特に、次に干渉除去／推定コンポーネント１６８をサポートする復号化ＤＬスケジューリング・コンポーネント１６６を使用する。別の態様において、サービング基地局１０２は、ＵＥ １０６からのチャネル品質報告１７８に応答して、早期ＨＡＲＱ終了コンポーネント１７６を実行するためにプロセッサ１７４及びメモリ１７２を使用するダウンリンク除去コンポーネント１０８を使用して、ＵＥ １０６による干渉除去に向上を提供できる。
【００２５】
ユーザ機器（ＵＥ）識別スペースの制限。  非サービングＢＳ １１８によって提供される非サービング・セル１２０からのトラフィック送信を復調するために、ＵＥ １０６は、割り当てられた帯域幅、ＭＣＳ（変調及び符号化スキーム）、あるいはＨ−ＡＲＱ（ハイブリッド自動再送要求）インスタンスなどのような、（複数の）干渉するセル１２０において作成されるダウンリンク・スケジューリング１２２の詳細を取得する。この情報は、典型的に、制御ゾーンに配置され、干渉するセル１２０によってサービスされる別のＵＥ １２４をターゲットとする、ダウンリンク許可で運ばれる。例えば、ダウンリンク許可は、ＬＴＥ Ｒｅｌ−８における物理ダウンリンク制御チャネル（ＰＤＣＣＨ：Physical Downlink Control Channel）上で送信される。ダウンリンク許可は、典型的に特定のＵＥをターゲットとするユニキャスト送信であるので、大多数のシステムにおけるダウンリンク許可パケットの符号化（スクランブリング）は、セル識別に加えて、ＵＥ識別（例えば、セル無線ネットワーク一時識別（ｃ−ＲＮＴＩ：Cell Radio Network Temporary Identity）に基づく。従って、支配的な干渉源１１８によって発行されるダウンリンク許可を復調するように試みたＵＥ １０６は、その支配的な干渉源１１８によってアドレス指定されうる様々な可能なｃ−ＲＮＴＩ値に対応する多数の復号化の試みを考慮するべきである。
【００２６】
特に、ＵＥ １０６は、非サービングＢＳ １１８からのセルＩＤと共に一時ＵＥ ＩＤ（例えば、ｃ−ＲＮＴＩ）の低減されたスクランブリング／符号化セット１２８にアクセスできる。一態様において、セルＩＤの低減されたセットは、（例えば、セルＩＤからのマッピングに基づいて）セルによってあらかじめ定義される、又は複数のセルにわたってあらかじめ定義される共通セットである。幾つかの実例において、この低減されたセットは、連続した（contiguous）複数のＩＤのブロック単位で割り当てられ、また割り当てを解除される。ＵＥ １０６は、例えば、事前にインストールされた値の所定セットによって、この低減された又は制約付きのＵＥ ＩＤシーケンス・セットに一部基づいて低減された仮説セット１３２でプロビジョンされる。あるいは、非サービングＢＳ １１８は、ダウンリンク１１２上の１３６で図示されるように中継するために、サービングＢＳ １０２へのバックホール又は無線リソース制御チャネル１３４を利用する。別の選択肢として、非サービングＢＳ １１８は、１３８で図示されるように、ＵＥ １０６に低減されたセット１３０をブロードキャストできる。低減された数のスクランブリング／符号化の可能性は、経済的な携帯用デバイスの処理及び電力制約内でさえ、ＵＥがＤＬスケジューリングを復号化するために管理可能な数の仮説を実行できるようにする。成功符号化の後に、ＵＥ １０６は、干渉を除去できる。
【００２７】
ＬＴＥ（Long Term Evolution）Ｒｅｌ−８の典型的なインプリメンテーションでは、ｃ−ＲＮＴＩスペースは、２16であり、その一方でＰＤＣＣＨ ＣＲＣ（cyclic redundancy check）の長さは、１６である。更に、ＰＤＣＣＨ ＣＲＣは、ターゲットＵＥ １２４のｃ−ＲＮＴＩ １２８に基づいて生成されるシーケンスを用いてスクランブルされる。全ての可能なｃ−ＲＮＴＩ値を試みることは、そのＰＤＣＣＨのターゲットＵＥ １２４及び当初のコンテンツにかかわらず、１つの仮説に対して成功ＣＲＣパスをいつも伴い、その結果、フォルスアラームを引き起すだろう。従って、ＢＳ １０２によってサービスされる隣接セル１２０のＵＥ １０６は、ＰＤＣＣＨの真の内容を決定することができず、それゆえに、後続するトラフィックの物理ダウンリンク共有チャネル（ＰＤＳＣＨ：Physical Downlink Shared Channel）復調のため必要とされる情報を確実に取得することができない。
【００２８】
基地局１０２及びデバイス１０６として図示される、通信装置が無線端末であることは、本開示の利益と共に理解されるべきである。加えて、又は代わりに、通信装置は、有線ネットワーク内にいることができる。通信装置は、無線通信端末で信号分析を実行するための命令を保持できるメモリ１５２を含むことができる。加えて、通信装置は、メモリ１５２内の命令及び／又は別のネットワーク・デバイスから受信される命令を実行できるプロセッサ１５４を含むことができ、ここにおいて命令は、通信装置又は関連する通信装置を操作するあるいは構成することに関連することができる。
【００２９】
次の論述では、ｃ−ＲＮＴＩ仮説の数を低減できる既存の（ベースライン）無線インタフェース設計への修正が提供される。適切に低減されたｃ−ＲＮＴＩスペースでは、可能な仮説の総数、つまりフォルスアラームは、干渉するセルによって割り当てられたＰＤＣＣＨリソースの数に対応する。従って、下記に論じられるような、ＰＤＣＣＨ（即ち、ＤＬ許可リソース）サーチ・スペースの縮小がまた望ましい。最後に、トラフィック干渉除去の容量利得は、干渉除去利得を説明するチャネル状態に対するダウンリンク・レートのかなり正確なマッチングを条件とする。しかしながら、正確な事前のレート予測は、干渉されるＵＥもそのサービング・セルもＭＣＳ及び／又は干渉する送信の電力を一般に予測できないので、干渉するセルからの協力が無いときには基本的に困難である。下記は、スケジューリングがどのようにそのような容量利得を容易にすることができるかを論じる。
【００３０】
ｃ−ＲＮＴＩ仮説の数を制限する１つの方法が、使用可能なｃ−ＲＮＴＩの範囲をより小さなセットに制限（confine）することである。実際には、使用中のｃ−ＲＮＴＩスペースは、おそらくセルを最近訪れているＵＥ及びハンドオフ領域のＵＥへのいくらかのプロビジョニングと共に、アクティブな（アクティブ・ホールドの）ＵＥをカバーするのに十分であるべきである。多くの場合において、この数は、ｃ−ＲＮＴＩスペース（２16）より小さくなりうる。これは、少数のＵＥのみが、特定のＣＳＧ及び対応するＨｅＮＢに関連する、ホーム・フェムト配置に当てはまる。ｃ−ＲＮＴＩスペースの最大サイズは、例えば、２5又は２6に安全に制限されることができ、従って、実質的にｃ−ＲＮＴＩ仮説の数を低減している。ｃ−ＲＮＴＩスペースにおける低減は、次のようなグリーディ（greecy）ｃ−ＲＮＴＩ割り当てアルゴリズムを介して自然に達成されることができる:  
（ａ）例えば、セルＩＤによって順列が定義される、例えば、シーケンス［０、１、…、２16−１］の順列を介して取得される、セル特有のシーケンスのｃ−ＲＮＴＩ値がある。セルは、ある時間の間使用されていない、あるいは使用中でない、セル特有のシーケンス内の最小論理インデックスを取ることなどによって、新しいｃ−ＲＮＴＩを割り当てる。  
（ｂ）（Ａ）と同様であり、ここではシーケンスは、セル特有ではないが、全てのセルにわたって共通である。  
（ｃ）（Ａ）又は（Ｂ）と同様であり、ここにおいてｃ−ＲＮＴＩ値は、ブロックで割り当てられる。例えば、セルは、上記のシーケンスからＮ個のｃ−ＲＮＴＩ値の連続したブロックを割り当てることができ、このブロックからの値を選択できる。Ｎ個の値が使用中であるときには、セルは、Ｎ個の値の別の連続したブロックなどを割り当てる。同様に、セルは、使用中のｃ−ＲＮＴＩの数が使用中のｃ−ＲＮＴＩ値の数より（実質的に）小さくなるときには、ブロックの割り当てを解除できる。
【００３１】
上記のアプローチは、ｃ−ＲＮＴＩの使用上に厳しい制約をもたらさないということに留意する。ＨｅＮＢにおいて、上記の（又は、類似した）アルゴリズムのうちの何れかがインプリメントされるときに、他のセルのＰＤＣＣＨ復調のためのｃ−ＲＮＴＩ仮説の有限数を考慮するＵＥは、使用中のｃ−ＲＮＴＩ値の数が相対的に小さい限り、成功することができる。これは、ホーム・フェムト配置においてよくある場合であろう。
【００３２】
概説されたアプローチは、一般に何れのプロトコル向上も必要とせず、ｃ−ＲＮＴＩ割り当てに関するスマート・アルゴリズム（smart algorism）に基づいて干渉除去を達成することができる。あるいは、ＨｅＮＢは、サービング・セルが近隣によって使用中のｃ−ＲＮＴＩのセットをそのＵＥに送ることができるように、使用中の（あるいは、潜在的な使用のために考慮される）ｃ−ＲＮＴＩのセットを交換できる。後者のアプローチは、関連した無線シグナリング・オーバヘッドと同様に、向上されたプロトコルを使用する。そのようなプロトコルはまた、干渉する信号の復調及び／又は復号化に関連性のある他の情報を送信するために使用されうることに留意する。ＬＴＥ Ｒｅｌ−８の場合には、これは特定の持続時間の間、特定のＵＥのために使用されるトラフィック対パイロット比（Ｔ２Ｐ）を送信するために使用されうる。代わりに、干渉するｅＮＢによって使用されるＴ２Ｐ値のセットはまた、好ましい順序で選択されうる。
【００３３】
ダウンリンク許可リソーススペースの制限。  制御ゾーンのそれらの位置と符号化スキーム（例えばメッセージ毎の変調シンボルの数）に関する、ダウンリンク制御リソースの総数は、典型的にかなり大きい。ＵＥによって考慮されるべき復号化仮説の大きな総数は、フォルスアラームをもたらし、たとえｃ−ＲＮＴＩスペースが制限されていても復号化の複雑さをもたらすであろう。複雑さの議論は、干渉除去を試み、その結果、サービング・セルに加えて１つ又は複数の非サービング・セルからの制御を復号化するように試みる、ＵＥに関連性を有するようになる。フォルスアラームおよび追加の複雑さの影響は、ＨｅＮＢが、例えば、下記によって仮説の数を制限する場合に軽減されることができる。  
（ａ）ダウンリンク許可を共通スペースＰＤＣＣＨインスタンスだけに制限するように努めること；  
（ｂ）ダウンリンク許可を少数のＰＤＣＣＨインスタンスだけに制限するように努めること；及び  
（ｃ）特定のタイプのＰＤＣＣＨ（例えば、タイプ−４）だけを使用するように努めること。
【００３４】
ここでも、記述された考慮は、典型的にＰＤＣＣＨ割り当ての厳しい制約をもたらさず、しばしば上記条件のうちの全て又は幾つかに対応する制限された数の仮説をチェックするＵＥによって、成功ＰＤＣＣＨ復調がもたらされるであろう。また、上記条件を満たすことは、軽く負荷されたセルにとって（従って、ホーム・フェムト配置において）は、かなり簡単であることに留意する。
【００３５】
早期Ｈ−ＡＲＱ終了を通じた利得のレバレッジング。  既に述べられたように、干渉除去による容量利得は、実際の干渉状態に対するダウンリンク・トラフィック送信レートの正確なマッチングを有するべきである一方で、残りの干渉レベルの事前予測、及び単に干渉除去の成功だけでも、実際には困難である。容量利得を保持するための１つの方法は、干渉除去から潜在的に利益を得るＵＥに関する、より後のＨ−ＡＲＱ終了をターゲットとすることによるものである。具体的には、潜在的に高い干渉除去利得を備えた、強い支配的な干渉源を有するＵＥは、不成功（unsuccessful）干渉除去の発生において、第２、第３、あるいは第４のＨ−ＡＲＱ送信でターゲット終了をもたらす電力レベル及び／又はＭＣＳを割り当てられることができる。この場合、ＵＥによるチャネル品質測定及び報告は、全（未除去の）干渉を説明するであろう。ターゲット（遅い）Ｈ−ＡＲＱ終了の前での、ＵＥによる干渉除去及び干渉する信号の正しい復調は、パケットの早期復号化をもたらすことができ、従って、より高いスペクトル効率に導く。それ自身のトラフィック送信の復号化の前での、十分に早いＵＥによる干渉する信号の正しい復調は、干渉するセルが、早い終了をターゲットとする場合には、より頻繁に起こりうることに留意する。例えば、デフォルトのＲｅｌ−８ ＤＬタイムラインは、ＤＬ許可／ＰＤＳＣＨと、対応するＡＣＫ（肯定応答メッセージ）との間に４個のサブフレーム・スペーシング（subframe spacing）を仮定する。例示的なリラックシング（relaxing）は、ターゲットされる信号を復号化する前で、干渉する信号の復号化のための追加の時間を提供するために、６個又は８個のサブフレームのスペーシングを必然的に伴うことができる。
【００３６】
上記の観察に基づいて、干渉除去利得をレバレッジするための下記のスケジューリング方針が提供されることができる：  
（ａ）サービング・セルが、例えば、１つ又は複数の支配的な干渉源を除去することにより期待される干渉除去（Ｃ／Ｉ）の向上に基づいて、Ｃ／Ｉから利益を得ることができるＵＥを識別する。潜在的なＣ／Ｉの向上は、例えば、ＵＥからのパイロット強度報告に基づいて評価されることができる。そのようなＵＥについては、サービング・セルは、相対的に遅いＨ−ＡＲＱ終了（例えば、第２、第３、あるいは第４）をターゲットとする；及び  
（ｂ）残りのＵＥについては、サービング・セルは相対的に早いＨ−ＡＲＱ終了（好ましくは、第１のＨ−ＡＲＱ送信）をターゲットとする。
【００３７】
ほとんどの分析が、トラフィック干渉除去のコンテキストで行われる一方で、上に記述された技術は、制御干渉除去にも同様に適用することが留意されるべきである。ＬＴＥ Ｒｅｌ−８の設計の文脈で論じられた上記技術が、潜在的にＨＳＤＰＡ（High Speed Packet Data Access）及びＷｉＭＡＸ（Worldwide Interoperability for Microwave Access, Inc.）などの多くの他のパケットデータ・システムに適用できることが理解されるべきである。技術は、（例えば、対応する受信された変調シンボルに基づいて、送信される変調シンボルを推定するスキームによる）復号化の前の除去を伴うスキームに適用可能でありうることが更に留意されるべきである。また、インプリメンテーション及びトラフィックのタイプに依存して、ターゲットＨ−ＡＲＱ終了は、例えば、Ｈ−ＡＲＱ送信の数の、平均、中央値、あるいはその他のパーセンテージに対応することができる。
【００３８】
システム１００は、アクセス端末又はモバイル・デバイスで使用されることができ、例えば、ＳＤカード、ネットワーク・カード、無線ネットワーク・カード、（ラップトップ、デスクトップ、及び携帯情報端末を含む）コンピュータ、携帯電話、スマートフォン、あるいはネットワークにアクセスするために利用されうるその他任意の端末でありうることが留意される。端末は、アクセス・コンポーネント（示されていない）を経由してネットワークにアクセスする。一例では、端末とアクセス・コンポーネントとの間の接続が、性質において無線であることができ、そこでアクセス・コンポーネントは、基地局であることができ、モバイル・デバイスは、無線端末である。例えば、端末及び基地局は、限定はされないが、時分割多元接続（ＴＤＭＡ）、符号分割多元接続（ＣＤＭＡ）、周波数分割多元接続（ＦＤＭＡ）、直交周波数分割多重（ＯＦＤＭ）、フラッシュＯＦＤＭ、直交周波数分割多元接続（ＯＦＤＭＡ）、あるいはその他任意の適切なプロトコルを含む、任意の適切な無線プロトコルを経由して通信することができる。
【００３９】
アクセス・コンポーネントは、有線ネットワーク又は無線ネットワークに関連するアクセス・ノードであることができる。その目的を達成するために、アクセス・コンポーネントは、例えば、ルータ、スイッチ、又は同様のものであることができる。アクセス・コンポーネントは、他のネットワーク・ノードと通信するために、１つ又は複数のインタフェース（例えば、通信モジュール）を含むことができる。加えて、アクセス・コンポーネントは、セルラ・タイプのネットワークにおける基地局（又は、無線アクセス・ポイント）であることができ、ここにおいて基地局（又は、無線アクセス・ポイント）は、複数の加入者に無線カバレッジ・エリアを提供するために利用される。そのような基地局（又は、無線アクセス・ポイント）は、１つ又は複数のセルラ電話及び／又は他の無線端末に連続したカバレッジ・エリアを提供するように配置されることができる。
【００４０】
ここに記述される技術は、様々な手段によってインプリメントされることができる。例えば、これらの技術は、ハードウェア、ソフトウェア、あるいはそれらの組み合わせにおいてインプリメントされることができる。ハードウェア・インプリメンテーションに関しては、処理ユニットが、１つ又は複数の特定用途向け集積回路（ＡＳＩＣｓ）、デジタル信号プロセッサ（ＤＳＰｓ）、デジタル信号処理デバイス（ＤＳＰＤｓ）、プログラマブル・ロジック・デバイス（ＰＬＤｓ）、フィールド・プグラマブル・ゲート・アレイ（ＦＰＧＡｓ）、プロセッサ、制御装置、マイクロコントローラ、マイクロプロセッサ、ここに記述される機能を実行するために設計された他の電子ユニット、あるいはそれらの組み合わせ内でインプリメントされることができる。ソフトウェアでは、インプリメンテーションは、ここに記述される機能を実行するモジュール（例えば、処理手順、機能等）を通じてできる。ソフトウェア・コードは、メモリ・ユニットに格納され、プロセッサによって実行されることができる。
【００４１】
図３では、オペレーション２００の例示的な手順又はシーケンスが、サービング基地局（ＢＳ）２０２、ユーザ機器（ＵＥ）２０４及び非サービングＢＳ（例えば、他のフェムト・セル）２０６で表される通信システムによって実行され、後者は、ｃ−ＲＮＴＩ（セル無線ネットワーク一時識別）のような識別子（「ＩＤ」）２１０と関連する別のＵＥ ２０８との通信で、ＵＥ ２０４に干渉を引き起こしている。
【００４２】
ブロック２１１では、非サービングＢＳ ２０６及びＵＥ ２０４が、ダウンリンク・スケジューリング・パラメータの制約付きセットを提供（「プロビジョン」）される。例えば、所定の制約付きセットあるいは制約付きセットを計算する方法は、それぞれＢＳ ２０６のブロック２１２及びＵＥ ２０４のブロック２１３でローカル記憶装置からアクセスされることができる。代わりに、又は加えて、２１４、２１６でそれぞれ図示されるように、非サービングＢＳ ２０６は、バックホール接続又は無線リソースチャネルを介してこれらのダウンリンク・スケジューリング・パラメータをサービングＢＳ ２０２へ中継することができ、それは順に、パラメータをダウンリンク上で中継する。代わりに、又は加えて、非サービングＢＳ ２０６は、ＵＥ ２０４に対して直接にダウンリク・パラメータの制約付きセットをブロードキャストあるいはマルチキャストすることができる（ブロック２１８）。
【００４３】
一態様では、これらのダウンリンク・スケジューリング・パラメータは、ＵＥ識別スペースを制限するとして図示される、ターゲット無線デバイスに向けられるダウンリンク送信を符号化する／スクランブリングするための値の低減されたセットを具備できる（ブロック２２０）。代わりに又は加えて、ダウンリンク・スケジューリング・パラメータの制約付きセットは、ダウンリンク・スケジューリング許可リソースの低減されたセットを具備できる（ブロック２２２）。前者に関しては、典型的なインプリメンテーションにおいて、ターゲット無線デバイスにユニキャストするために、符号化する／スクランブリングするために使用されるｃ−ＲＮＴＩのようなＵＥ識別子が、セル特有ベースで（例えば、非サービングＢＳ ２０６のためのセルＩＤに基づいて）制約される（ブロック２２４）。あるいは、ｃ−ＲＮＴＩのようなＵＥ識別子は、セル特有な手法では制約されず、即ち、それらはセルにわたって共通である（ブロック２２６）。セル特有であろうとなかろうと、幾つかのインスタンスでは、セットは、連続したＵＥ ＩＤのブロックの割り当て及び割り当て解除によって制約され、それは、シグナリングあるいは制約付きセットが何であるか決定することを更に向上させることができる（ブロック２２８）。
【００４４】
ＵＥ ２０４は、サービングＢＳ ２０２から受信される、意図された信号と干渉する非サービングＢＳ ２０６からの符号化されたダウンリンク信号（例えば、トラフィック、制御チャネル）を受信する（ブロック２３０）。干渉する信号は、より高い電力であることができ、意図された信号を推定（例えば、復号化）する前に、除去する必要がある。有利なことに、ＵＥ ２０４は、管理可能な小さなセットの仮説（そのうちの１つが、ユーザ機器（ＵＥ）の識別スペースの制限及びダウンリンク許可リソーススペースの制限のうちの１つ又は両方によって、干渉する信号を正しく（successfully）復号化することができる）を準備するために、制約付きダウンリンク・スケジューリング・パラメータにアクセスできる（ブロック２３１）。特に、ＵＥ ２０４は、以前に開示された手法のうちの１つでプロビジョンされる、干渉する信号を復号化する／デスクランブル（descramble）するためのＵＥ識別子の低減されたセット（ブロック２３２）を使用する。代わりに、又は加えて、ＵＥ ２０４は、ＤＬ許可リソースの制約付きセット（ブロック２３４）により、仮説の管理可能に低減されたセットを達成する。正しい復号化（ブロック２３６）及び干渉する信号及び意図された信号との間の整合（ブロック２３８）を用いて、干渉する信号は除去されることができる（ブロック２４０）。
【００４５】
ＵＥ ２０４は、２４２に図示されるように、意図された信号を復号化する（ブロック２４１）前に、最初に干渉する信号を復号化するので、別の方法よりも、意図された信号の成功又は不成功の復号化を肯定応答するのにより多くの時間を必要とする。サービングＢＳ ２０２は、肯定応答又は非肯定応答を予期する、あるいは再送信を実行する前に、より多くの時間を提供することによって、ＵＥ ２０４によるこのような干渉除去（Ｃ／Ｉ）を向上でき、ＨＡＲＱ最適化２４３として図示される。その目的を達成するために、ＵＥ ２０４は、アップリンク上でチャネル品質報告（例えば、パイロット強度）を送信する（ブロック２４４）。サービングＢＳ ２０２は、ダウンリンク・セットの処理（ブロック２４６）の一部として、ＵＥ ２０４が、ここに開示されるような干渉除去を実行することから利益を得るであろうという決定を行なう（２４８）。サービングＢＳ ２０２は、ハイブリッド自動再送要求（ＨＡＲＱ）などによって、より後のターゲット終了を割り当てる（assign）（ブロック２５０）。
【００４６】
図４を参照すると、多元接続無線通信システム３００が例示されている。多元接続無線通信システム３００は、セル３０２、３０４、及び３０６を含む多数のセルを含んでいる。一態様では、システム３００は、セル３０２、３０４、及び３０６を有し、その各々は、多数のセクタを含むノードＢによってサービスされる。多数のセクタは、各アンテナがセルの一部におけるＵＥとの通信に責任がある複数のアンテナのグループによって形成されることができる。例えば、セル３０２では、アンテナ・グループ３１２、３１４及び３１６が、それぞれ異なるセクタに対応できる。セル３０４では、アンテナ・グループ３１８、３２０及び３２２が、それぞれ異なるセクタに対応する。セル３０６では、アンテナ・グループ３２４、３２６及び３２８が、それぞれ異なるセクタに対応する。セル３０２、３０４及び３０６は、幾つかの無線通信デバイス（例えば、ユーザ機器、又はＵＥ）を含むことができ、それらは、各セル３０２、３０４又は３０６の１つ又は複数のセクタと通信状態にあることができる。例えば、ＵＥ ３３０及び３３２は、ノードＢ ３４２と通信状態にあることができ、ＵＥ ３３４及び３３６は、ノードＢ ３４４と通信状態にあることができ、またＵＥ ３３８及び３４０は、ノードＢ ３４６と通信状態にあることができる。
【００４７】
無線通信システムは、音声、データなどの様々なタイプの通信コンテンツを提供するために幅広く展開されている。これらのシステムは、利用可能なシステムリソース（例えば、帯域幅及び送信電力）を共有することによって、複数のユーザとの通信をサポート可能な多元接続システムであることができる。このような多元接続システムの例は、符号分割多元接続（ＣＤＭＡ）システム、時分割多元接続（ＴＤＭＡ）システム、周波数分割多元接続（ＦＤＭＡ）システム、Ｅ−ＵＴＲＡを含む３ＧＰＰ ロング・ターム・エボリューション（ＬＴＥ）システム、及び直交周波数分割多元接続（ＯＦＤＭＡ）システムを含む。
【００４８】
直交周波数分割多重（ＯＦＤＭ）通信システムは、全体のシステム帯域幅を多数（ＮＦ個）のサブキャリアに効果的に分割し、それはまた、周波数サブチャネル、トーン、又は周波数ビンと称されうる。ＯＦＤＭシステムに関しては、送信されるデータ（即ち、情報ビット）は、最初に、符号化されたビットを生成するための特定の符号化スキームを用いて符号化され、そして符号化されたビットは、次に変調シンボルにマッピングされるマルチビット・シンボルに更にグループ化される。各変調シンボルは、データ送信に使用される特定の変調スキーム（例えば、Ｍ−ＰＳＫ又はＭ−ＱＡＭ）によって定義される信号コンスタレーションの点に対応する。各周波数サブキャリアの帯域幅に依存しうる各時間間隔では、変調シンボルが、ＮＦ個の周波数サブキャリアの各々の上で送信されることができる。従って、ＯＦＤＭは、周波数選択性フェージングによって引き起こされるシンボル間干渉（ＩＳＩ）に対抗するために使用されることができ、それはシステム帯域幅にわたる異なる量の減衰によって特徴づけられる。
【００４９】
一般に、無線多元接続通信システムは、順方向及び逆方向のリンク上での送信を介して１つ又は複数の基地局と通信する多数の無線端末のために、通信を同時にサポートできる。順方向リンク（又は、ダウンリンク）は、基地局から端末への通信リンクを指し、また、逆方向リンク（又は、アップリンク）は、端末から基地局への通信リンクを指す。この通信リンクは、単一入力単一出力、多入力単一出力、あるいは多入力多出力（ＭＩＭＯ）のシステムを介して確立されることができる。
【００５０】
ＭＩＭＯシステムは、データ送信のために多数（ＮＴ個）の送信アンテナ及び多数（ＮＲ個）の受信アンテナを使用する。ＮＴ個の送信アンテナ及びＮＲ個の受信アンテナによって形成されるＭＩＭＯチャネルは、ＮＳ個の独立したチャネルに分解されることができ、それらはまた、空間チャネルと称される。一般に、ＮＳ個の独立したチャネルの各々は、次元に対応する。ＭＩＭＯシステムは、多数の送信及び受信アンテナによって作成される追加の次元が利用される場合には、改善された性能（例えば、より高いスループット及び／又はより大きな信頼性）を提供できる。ＭＩＭＯシステムはまた、時分割二重通信（ＴＤＤ）及び周波数分割二重通信（ＦＤＤ）のシステムをサポートする。ＴＤＤシステムでは、相反の原理（reciprocity principle）が、逆方向リンク・チャネルから順方向リンク・チャネルの推定を可能にするように、順方向及び逆方向リンクの送信は、同じ周波数領域上にある。これは、アクセス・ポイントに、アクセス・ポイントで多数のアンテナが利用可能であるときに、順方向リンク上の送信ビーム形成利得を抽出することを可能にする。
【００５１】
ここで図５を参照すると、一態様に従う多元接続無線通信システムが例示される。アクセス・ポイント４００（ＡＰ）が、多数のアンテナ・グループを含み、その１つが、４０４と４０６を含み、別のものが、４０８と４１０を含み、追加のものが、４１２及び４１４を含む。図５では、各アンテナ・グループに対して２本のアンテナだけが示されている、しかしながら、より多い又はより少ないアンテナが、各アンテナ・グループのために利用されることができる。アクセス端末４１６は、アンテナ４１２及び４１４と通信状態にあり、ここでアンテナ４１２及び４１４は、順方向リンク４２０上でアクセス端末４１６に情報を送信し、逆方向リンク４１８上でアクセス端末４１６から情報を受信する。アクセス端末４２２は、アンテナ４０６及び４０８と通信状態にあり、ここでアンテナ４０６及び４０８は、順方向リンク４２６上でアクセス端末４２２に情報を送信し、逆方向リンク４２４上でアクセス端末４２２から情報を受信する。ＦＤＤシステムでは、通信リンク４１８、４２０、４２４及び４２６は、通信のために異なる周波数を使用できる。例えば、順方向リンク４２０は、逆方向リンク４１８によって使用されるものとは異なる周波数を使用できる。
【００５２】
アンテナの各グループ及び／又はそれらが通信するように設計されたエリアは、しばしばアクセス・ポイントのセクタと称される。各アンテナ・グループは、アクセス・ポイント４００によってカバーされるエリアの、セクタ中のアクセス端末と通信するように設計される。順方向リンク４２０及び４２６上の通信では、アクセス・ポイント４００の送信アンテナは、異なるアクセス端末４１６及び４２２に関する順方向リンクの信号対雑音比を改善するために、ビーム形成を利用する。また、そのカバレッジ・エリアにわたって無作為に散在したアクセス端末に送信するためにビーム形成を使用するアクセス・ポイントは、その全てのアクセス端末に単一のアンテナを通じて送信するアクセス・ポイントよりも少ない干渉を近隣のセルのアクセス端末に引き起こす。アクセス・ポイントは、端末と通信するために使用される固定局であることができ、アクセス・ポイント、ノードＢ、あるいは何か他の用語として称されることができる。アクセス端末はまた、アクセス端末、ユーザ機器（ＵＥ）、無線通信デバイス、端末、アクセス端末、あるいは何か他の用語として称されることができる。
【００５３】
図６を参照すると、システム５００が、ＭＩＭＯシステム５００における送信機システム５１０（また、アクセス・ポイントとしても知られる）及び受信機システム５５０（また、アクセス端末としても知られる）を例示する。送信機システム５１０では、多くのデータストリームに関するトラフィック・データが、データソース５１２から送信（ＴＸ）データプロセッサ５１４に提供される。各データストリームは、それぞれの送信アンテナを通じて送信される。ＴＸデータプロセッサ５１４は、符号化されたデータを提供するために、そのデータストリームのために選択された符号化スキームに基づいて、各データストリームに関するトラフィック・データをフォーマットし、符号化し、インタリーブする。
【００５４】
各データストリームに関する符号化されたデータは、ＯＦＤＭ技術を使用して、パイロット・データと多重化されることができる。パイロット・データは、典型的に既知の方法で処理される既知のデータパターンであり、チャネル応答を推定するために受信機システムで使用されることができる。次に、各データストリームに関する多重化されたパイロット及び符号化されたデータは、変調シンボルを提供するためにそのデータストリームのために選択された特定の変調スキーム（例えば、ＢＰＳＫ、ＱＰＳＫ、Ｍ−ＰＳＫ、又はＭ−ＱＡＭ）に基づいて変調される（即ち、シンボル・マッピングされる）。各データストリームに関するデータレート、符号化、及び変調は、メモリ５３２を利用するプロセッサ５３０によって実行される命令により決定されることができる。
【００５５】
その後、全てのデータストリームに関する変調シンボルは、ＴＸ ＭＩＭＯプロセッサ５２０に提供され、それは（例えば、ＯＦＤＭのための）変調シンボルを更に処理できる。次に、ＴＸ ＭＩＭＯプロセッサ５２０は、ＮＴ個の送信機（ＴＭＴＲ）５２２ａ乃至５２２ｔにＮＴ個の変調シンボルストリームを提供する。ある実施形態では、ＴＸ ＭＩＭＯプロセッサ５２０は、シンボルがそれから送信されているアンテナ及びデータストリームのシンボルに対してビーム形成の重みを適用する。
【００５６】
各送信機５２２は、１つ又は複数のアナログ信号を提供するために、それぞれのシンボルストリームを受信して処理し、ＭＩＭＯチャネル上の送信に適した変調信号を提供するために、アナログ信号を更に調整する（例えば、増幅し、フィルタに掛け、アップコンバートする）。その後、送信機５２２ａ乃至５２２ｔからのＮＴ個の変調信号は、それぞれＮＴ個のアンテナ５２４ａ乃至５２４ｔから送信される。
【００５７】
受信機システム５５０では、送信された変調信号は、ＮＲ個のアンテナ５５２ａ乃至５５２ｒによって受信され、各アンテナ５５２から受信された信号は、それぞれの受信機（ＲＣＶＲ）５５４ａ乃至５５４ｒに提供される。各受信機５５４は、それぞれの受信された信号を調整し（例えば、フィルタに掛け、増幅し、ダウンコンバートする）、サンプルを提供するために調整された信号をデジタル化し、対応する「受信された」シンボルストリームを提供するために、サンプルを更に処理する。
【００５８】
次に、ＲＸデータプロセッサ５６０は、ＮＲ個の「検出された」シンボルストリームを提供するための特定の受信機処理技術に基づいて、ＮＲ個の受信機５５４からのＮＲ個の受信されたシンボルストリームを受信及び処理する。その後、ＲＸデータプロセッサ５６０は、データストリームに関するトラフィック・データを復元するために、各検出されたシンボルストリームを復調し、デインタリーブし、復号化する。ＲＸデータプロセッサ５６０による処理は、送信機システム５１０でＴＸ ＭＩＭＯプロセッサ５２０及びＴＸデータプロセッサ５１４によって実行されるものに相補的である。
【００５９】
プロセッサ５７０は、（下記に論じられる）どのプリコーディング行列を使用するかを周期的に決定する。プロセッサ５７０は、メモリ５７２を利用して、ランク値部分と行列インデックス部分とを具備する逆方向リンク・メッセージを組み立てる（formulate）。逆方向リンク・メッセージは、通信リンク及び／又は受信されたデータストリームに関する様々なタイプの情報を具備できる。次に、逆方向リンク・メッセージは、ＴＸデータプロセッサ５３８（それはまた、データソース５３６から多くのデータストリームに関するトラフィック・データを受信する）によって処理され、変調器５８０によって変調され、送信機５５４ａ乃至５５４ｒによって調整され、そして送信機システム５１０のもとへ送信される。
【００６０】
送信機システム５１０では、受信機システム５５０からの変調信号は、複数のアンテナ５２４によって受信され、複数の受信機５２２によって調整され、復調器５４０によって復調され、そして受信機システム５５０によって送信された逆方向リンク・メッセージを抽出するために、ＲＸデータプロセッサ５４２によって処理される。その後、プロセッサ５３０は、ビーム形成の重みを決定するために、どのプリコーディング行列を使用するかを決定し、そして抽出されたメッセージを処理する。
【００６１】
一態様では、論理チャネルが、制御チャネル及びトラフィック・チャネルに分類される。論理制御チャネルは、ブロードキャスティング・システム制御情報のためのＤＬチャネルであるブロードキャスト制御チャネル（ＢＣＣＨ）を具備する。ページング制御チャネル（ＰＣＣＨ）は、ページング情報を転送するＤＬチャネルである。ポイント・ツー・マルチポイントのＤＬチャネルであるマルチキャスト制御チャネル（ＭＣＣＨ）は、１つ又は幾つかのＭＴＣＨ（ＭＢＭＳのポイント・ツー・マルチポイントのトラフィック・チャネル）に関する制御情報及びマルチメディア・ブロードキャスト／マルチキャスト・サービス（ＭＢＭＳ）・スケジューリングの送信のために使用される。一般に、ＲＲＣ（無線リソース制御）接続を確立した後、このチャネルは、ＭＢＭＳ（注：古いＭＣＣＨ＋ＭＳＣＨ（ＭＢＭＳのポイント・ツー・マルチポイントのスケジューリング・チャネル））を受信するＵＥのみによって使用される。専用制御チャネル（ＤＣＣＨ）は、ＲＲＣ接続を有するＵＥによって使用される専用制御情報を送信するポイント・ツー・ポイントの双方向性チャネルである。論理トラフィック・チャネルは、ユーザ情報の転送のために、１つのＵＥ専用の、ポイント・ツー・ポイントの双方向性チャネルである専用トラフィック・チャネル（ＤＴＣＨ）を具備する。更に、トラフィック・データを送信するために、ポイント・ツー・マルチポイントのＤＬチャネルのためのマルチキャスト・トラフィック・チャネル（ＭＴＣＨ）を具備する。
【００６２】
トランスポート・チャネルは、ＤＬ及びＵＬに分類される。ＤＬトランスポート・チャネルは、ブロードキャスト・チャネル（ＢＣＨ）、ダウンリンク共有データ・チャネル（ＤＬ−ＳＤＣＨ）及びページング・チャネル（ＰＣＨ）を具備し、ＵＥの電力節約をサポートするためのＰＣＨ（ＤＲＸサイクルは、ＵＥへのネットワークによって示される）は、セル全体にわたってブロードキャストされ、他の制御／トラフィックチャネルのために使用されることができる物理（ＰＨＹ）リソースにマッピングされる。ＵＬトランスポート・チャネルは、ランダム・アクセス・チャネル（ＲＡＣＨ）、要求チャネル（ＲＥＱＣＨ）、アップリンク共有データ・チャネル（ＵＬ−ＳＤＣＨ）及び複数のＰＨＹチャネルを具備する。ＰＨＹチャネルは、ＤＬチャネル及びＵＬチャネルのセットを具備する。
【００６３】
他の用語は、次のものを含む：第３世代（３Ｇ）、第３世代パートナシップ計画（３ＧＰＰ）、ＡＣＬＲ隣接チャネル漏出比（ＡＣＬＲ：Adjacent channel leakage ratio）、隣接チャネル電力比（ＡＣＰＲ：Adjacent channel power ratio）、隣接チャネル選択度（ＡＣＳ：Adjacent channel selectivity）、アドバンスド設計システム（ＡＤＳ）、適応変調及び符号化（ＡＭＣ：Adaptive modulation and coding）、追加最大電力低減（Ａ−ＭＰＲ：Additional maximum power reduction）、自動再送要求（ＡＲＱ）、ブロードキャスト制御チャネル（ＢＣＣＨ）、基地局（ＢＴＳ）、巡回遅延ダイバーシチ（ＣＤＤ）、補足的な累積分布機能（ＣＣＤＦ：Complementary cumulative distribution function）、符号分割多元接続（ＣＤＭＡ）、制御フォーマット・インジケータ（ＣＦＩ）、協調ＭＩＭＯ（Ｃｏ−ＭＩＭＯ）、サイクリック・プリフィックス（ＣＰ）、共通パイロット・チャネル（ＣＰＩＣＨ）、共通パブリック無線インタフェース（ＣＰＲＩ：Common public radio interface）、チャネル品質インジケータ（ＣＱＩ）、巡回冗長検査（ＣＲＣ：Cyclic redundancy check）、ダウンリンク制御インジケータ（ＤＣＩ）、離散フーリエ変換（ＤＦＴ：Discrete Fourier transform）、離散フーリエ拡散ＯＦＤＭ（ＤＦＴ−ＳＯＦＤＭ）、ダウンリンク（ＤＬ）（基地局から加入者への送信）、ダウンリンク共有チャネル（ＤＬ−ＳＣＨ）、５００Ｍｂｐｓ物理層（Ｄ−ＰＨＹ）、デジタル信号処理（ＤＳＰ）、開発ツールセット（ＤＴ）、デジタル・ベクトル信号分析（ＤＶＳＡ）、電子設計自動化（ＥＤＡ：Electronic design automation）、向上された専用チャネル（Ｅ−ＤＣＨ）、発展型ＵＭＴＳ地上無線アクセス・ネットワーク（Ｅ−ＵＴＲＡＮ）、発展型マルチメディア・ブロードキャスト／マルチキャスト・サービス（ｅＭＢＭＳ）、発展型ノードＢ（ｅＮＢ）、発展型パケット・コア（ＥＰＣ）、リソースエレメント当たりのエネルギ（ＥＰＲＥ：Energy per resource element）、欧州電気通信標準化機構（ＥＴＳＩ）、発展型ＵＴＲＡ（Ｅ−ＵＴＲＡ）、発展型（Ｅ−ＵＴＲＡＮ）、エラー・ベクトル振幅（ＥＶＭ：Error vector magnitude）、及び周波数分割二重通信（ＦＤＤ）。
【００６４】
なお更なる他の用語は、高速フーリエ変換（ＦＦＴ）、固定基準チャネル（ＦＲＣ：Fixed reference channel）、フレーム構造タイプ１（ＦＳ１）、フレーム構造タイプ２（ＦＳ２）、グローバル移動体通信システム（ＧＳＭ）（登録商標）、ハイブリッド自動再送要求（ＨＡＲＱ）、ハードウェア記述言語（ＨＤＬ）、ＨＡＲＱインジケータ（ＨＩ）、高速ダウンリンク・パケット・アクセス（ＨＳＤＰＡ）、高速パケット・アクセス（ＨＳＰＡ）、高速アップリンク・パケット・アクセス（ＨＳＵＰＡ）、逆ＦＦＴ（ＩＦＦＴ）、相互運用性テスト（ＩＯＴ：Interoperability test）、インターネット・プロトコル（ＩＰ）、局部発信機（ＬＯ）、ロング・ターム・エボリューション（ＬＴＥ）、媒体アクセス制御（ＭＡＣ）、マルチメディア・ブロードキャスト／マルチキャスト・サービス（ＭＢＭＳ）、単一周波数ネットワーク上のマルチキャスト／ブロードキャスト（ＭＢＳＦＮ）、マルチキャスト・チャネル（ＭＣＨ）、多入力多出力（ＭＩＭＯ）、多入力単一出力（ＭＩＳＯ）、移動性管理エンティティ（ＭＭＥ：Mobility management entity）、最大出力電力（ＭＯＰ）、最大電力低減（ＭＰＲ）、マルチプル・ユーザＭＩＭＯ（ＭＵ−ＭＩＭＯ）、非アクセス層（ＮＡＳ：Non-access stratum）、オープン基地局アーキテクチャ・インタフェース（ＯＢＳＡＩ）、直交周波数分割多重化（ＯＦＤＭ）、直交周波数分割多元接続（ＯＦＤＭＡ）、ピーク対平均電力比（ＰＡＰＲ）、ピーク対平均比（ＰＡＲ）、物理ブロードキャスト・チャネル（ＰＢＣＨ）、プライマリ共通制御物理チャネル（Ｐ−ＣＣＰＣＨ）、物理制御フォーマット・インジケータ・チャネル（ＰＣＦＩＣＨ）、ページング・チャネル（ＰＣＨ）、物理ダウンリンク制御チャネル（ＰＤＣＣＨ）、パケット・データ・コンバージェンス・プロトコル（ＰＤＣＰ）、物理ダウンリンク共有チャネル（ＰＤＳＣＨ）、物理ハイブリッドＡＲＱインジケータ（ＰＨＩＣＨ）、物理層（ＰＨＹ）、物理ランダム・アクセス・チャネル（ＰＲＡＣＨ）、物理マルチキャスト・チャネル（ＰＭＣＨ）、プリコーディング行列インジケータ（ＰＭＩ）、プライマリ同期信号（Ｐ−ＳＣＨ）、物理アップリンク制御チャネル（ＰＵＣＣＨ）、及び物理アップリンク共有チャネル（ＰＵＳＣＨ）を含む。
【００６５】
他の用語は、直交振幅変調（ＱＡＭ）、４位相偏移変調（ＱＰＳＫ）、ランダム・アクセス・チャネル（ＲＡＣＨ）、無線アクセス技術（ＲＡＴ）、リソースブロック（ＲＢ）、無線周波数（ＲＦ）、ＲＦ設計環境（ＲＦＤＥ）、無線リンク制御（ＲＬＣ）、基準測定チャネル（ＲＭＣ）、無線ネットワーク制御装置（ＲＮＣ）、無線リソース制御（ＲＲＣ）、無線リソース管理（ＲＲＭ）、基準信号（ＲＳ）、受信信号コード・電力（ＲＳＣＰ）、基準信号受信電力（ＲＳＲＰ）、基準信号受信品質（ＲＳＲＱ）、受信信号強度インジケータ（ＲＳＳＩ）、システム・アーキテクチャ・エボリューション（ＳＡＥ）、サービス・アクセス・ポイント（ＳＡＰ）、単一キャリア周波数分割多元接続（ＳＣ−ＦＤＭＡ）、周波数−空間ブロック符号化（ＳＦＢＣ）、サービング・ゲートウェイ（Ｓ−ＧＷ）、単一入力多出力（ＳＩＭＯ）、単一入力単一出力（ＳＩＳＯ）、信号対雑音比（ＳＮＲ）、サウンディング基準信号（ＳＲＳ: Sounding reference signal）、セカンダリー同期信号（Ｓ−ＳＣＨ）、単一ユーザＭＩＭＯ（ＳＵ−ＭＩＭＯ）、時分割二重通信（ＴＤＤ）、時分割多元接続（ＴＤＭＡ）、技術報告（ＴＲ）、トランスポート・チャネル（ＴｒＣＨ）、技術仕様書（ＴＳ）、電気通信技術協会（ＴＴＡ）、送信時間間隔（ＴＴＩ）、アップリンク制御インジケータ（ＵＣＩ）、ユーザ機器（ＵＥ）、アップリンク（ＵＬ）（加入者から基地局への送信）、アップリンク共有チャネル（ＵＬ−ＳＣＨ）、ウルトラ・モバイル・ブロードバンド（ＵＭＢ）、ユニバーサル・モバイル・テレコミュニケーション・システム（ＵＭＴＳ）、ユニバーサル地上無線アクセス（ＵＴＲＡ）、ユニバーサル地上無線アクセス・ネットワーク（ＵＴＲＡＮ）、ベクトル信号分析器（ＶＳＡ）、広帯域符号分割多元接続（Ｗ−ＣＤＭＡ）を含む。
【００６６】
図７では、発展型基地ノード（ｅＮＢ）６００として図示される、サービング無線アクセス・ネットワーク（ＲＡＮ）が、コンピュータに、無線デバイスに無線通信システムにおける干渉の緩和を可能にさせるためのコードのセットのような手段を提供する計算プラットフォーム６０２を有する。特に、計算プラットフォーム６０２は、（複数の）プロセッサによって実行される複数のモジュール６０６−６１０を記憶するコンピュータ可読記憶媒体（例えば、メモリ６０４）を含む。プロセッサ６２０によって制御される変調器６２２は、（複数の）アンテナ６２６によって放射される、送信機６２４による変調のためのダウンリンク信号を準備する。受信機６２８は、復調器６３０によって復調され、復号化のためにプロセッサ６２０に提供される、（複数の）アンテナ６２６からのアップリンク信号を受信する。特に、手段（例えば、モジュール、コードのセット）６０６は、利用可能なパラメータの制約付きセットにアクセスするために提供される。手段、（例えば、モジュール、コードのセット）６０８は、ターゲット無線デバイスに割り当てられた利用可能なパラメータの制約付きセットのうちの選択された１つを使用して送信を符号化するために提供される。手段（例えば、モジュール、コードのセット）６１０は、送信を無線でユニキャストするために提供され、ここにおいてパラメータの制約付きセットは、サービスされないユーザ機器（ＵＥ）が、リソースの制約付きセットに基づく複数の仮説を使用して送信を復号化するのに十分であるように選択される。
【００６７】
引き続き図７参照すると、ユーザ機器（ＵＥ）６５０として図示される移動局が、無線通信システムにおける干渉を緩和するためのコードのセットのような手段を提供する計算プラットフォーム６５２を有している。特に、計算プラットフォーム６５２は、（複数の）プロセッサ６７０によって実行される複数のモジュール６５６−６５８を記憶するコンピュータ可読記憶媒体（例えば、メモリ）６５４を含む。プロセッサ６７０によって制御される変調器６７２は、６７７で図示されるように、ｅＮＢ ６００へ（複数の）アンテナ６７６によって放射される、送信機６７４による変調のためのアップリンク信号を準備する。受信機６７８は、（複数の）アンテナ６７６から、復調器６８０によって復調され、復号化のためにプロセッサ６７０に提供される、ｅＮＢ ６００からのダウンリンク信号を受信する。特に、手段（例えば、モジュール、コードのセット）６５６は、干渉する基地局からの無線送信を受信するために提供される。手段（例えば、モジュール、コードのセット）６５７は、送信を生成するために干渉する基地局によって使用された利用可能なパラメータの制約付きセットにアクセスするために提供される。手段（例えば、モジュール、コードのセット）６５８は、ダウンリンク・スケジューリング・パラメータの制約付きセットに基づく複数の仮説を使用して送信を復号化するために提供される。
【００６８】
図８を参照すると、無線通信システムにおける干渉を緩和するシステム７００が例示される。例えば、システム７００は、ユーザ機器（ＵＥ）内に少なくとも部分的に常駐（reside）することができる。システム７００は、機能ブロックを含むように表され、それは、プロセッサ、ソフトウェア、あるいはそれらの組み合わせ（例えば、ファームウェア）によってインプリメントされる機能を表す機能ブロックでありうることが理解されるべきである。システム７００は、結合して動作できる電子コンポーネントの論理グループ分け７０２を含む。例えば、論理グループ分け７０２は、干渉する基地局から無線送信を受信するための電子コンポーネント７０４を含むことができる。その上、論理グループ分け７０２は、送信７０５を生成するために、干渉する基地局によって使用された利用可能なパラメータの制約付きセットにアクセスするための電子コンポーネント７０５を含むことができる。更に、論理グループ分け７０２は、パラメータの制約付きセットに基づく複数の仮説を使用して送信を復号化するための電子コンポーネント７０６を含むことができる。加えて、システム７００は、電子コンポーネント７０４−７０６に関連する機能を実行するための命令を保持するメモリ７１２を含むことができる。１つ又は複数の電子コンポーネント７０２−７０６は、メモリ７１２の外部にあるように示されている一方で、メモリ７１２内に存在できることが理解されるべきである。
【００６９】
図９を参照すると、無線デバイスに無線通信システムにおける干渉を緩和することを可能にするシステム８００が例示される。例えば、システム８００は、基地局内に少なくとも部分的に常駐することができる。システム８００は、機能ブロックを含むように表され、それは、プロセッサ、ソフトウェア、あるいはそれらの組み合わせ（例えば、ファームウェア）によってインプリメントされる機能を表す機能ブロックでありうることが理解されるべきである。システム８００は、結合して動作できる電子コンポーネントの論理グループ分け８０２を含む。例えば、論理グループ分け８０２は、利用可能なパラメータの制約付きセットにアクセスするための電子コンポーネント８０４を含むことができる。加えて、論理グループ分け８０２は、ターゲット無線デバイスに割り当てられた利用可能なパラメータの制約付きセットのうちの選択された１つを使用して送信を符号化するための電子コンポーネント８０６を含むことができる。更に、論理グループ分け８０２は、符号化された送信を無線でユニキャストするための電子コンポーネント８０８を含むことができ、ここにおいてパラメータの制約付きセットは、サービスされないユーザ機器（ＵＥ）が、リソースの制約付きセットに基づく複数の仮説を使用して送信を復号化するのに十分であるように選択される。加えて、システム８００は、電子コンポーネント８０４、８０６及び８０８と関連する機能を実行するための命令を保持するメモリ８１２を含むことができる。１つ又は複数の電子コンポーネント８０４、８０６及び８０８は、メモリ８１２の外部にあるように示されている一方で、メモリ８１２内に存在できることが理解されるべきである。
【００７０】
前述によって、無線通信システムにおけるダウンリンク干渉を緩和するためのシステム及び方法が提供される。一態様では、無線通信システムにおける干渉を緩和するための方法が提供される。方法は、無線ネットワークにおいて干渉を緩和するために、無線ネットワーク識別子のセットを処理することと、無線ネットワーク識別子と関連する仮説の数を制限することとを含む。別の態様において、方法は、仮説のセットを処理することと、ダウンリンク許可の数を共通スペースに制限すること、ダウンリンク許可の数をインスタンスの数に制限すること、あるいはダウンリンク許可の数を物理ダウンリンク制御チャネル（ＰＤＣＣＨ）タイプに制限することによって、仮説のセットを制限することとを含む。なお別の態様では、方法は、ダウンリンク・セットを処理することと、ダウンリンク・データセットに関するターゲット終了レベルを生成することとを含み、終了レベルは、ハイブリッド自動再送要求と関連する。
【００７１】
図１０では、ユーザ機器（ＵＥ）のような装置９０２が、無線通信システムにおける干渉除去の緩和を実行する手段を提供される。手段９０４は、干渉する基地局から無線送信を受信するために提供される。手段９０６は、送信を生成するために干渉する基地局によって使用された利用可能なパラメータの制約付きセットにアクセスするために提供される。手段９０８は、パラメータの制約付きセットに基づく複数の仮説を使用して送信を復号化するために提供される。
【００７２】
図１１では、装置１００２が、無線デバイスに無線通信システムにおける干渉を緩和することを可能にするために提供される。手段１００４は、利用可能なパラメータの制約付きセットにアクセスするために提供される。手段１００６は、ターゲット無線デバイスに割り当てられた利用可能なパラメータの制約付きセットのうちの選択された１つを使用して送信を符号化するために提供される。手段１００８は、送信を無線でユニキャストするために提供され、ここにおいてパラメータの制約付きセットは、サービスされないユーザ機器（ＵＥ）が、リソースの制約付きセットに基づく複数の仮説を使用して送信を復号化するのに十分であるように選択される。
【００７３】
この出願で使用されるように、「コンポーネント（component）」、「モジュール（module）」、「システム（system）」及び同類の用語は、限定はされないが、ハードウェア、ファームウェア、ハードウェアとソフトウェアの組み合わせ、ソフトウェア、又は実行中のソフトウェアなどの、コンピュータ関連のエンティティ（entity）を含むように意図される。例えば、コンポーネントは、それに限定されるものではないが、プロセッサ上で実行中のプロセス、プロセッサ、オブジェクト、実行可能なファイル（executable）、実行のスレッド、プログラム、及び／又はコンピュータであることができる。例示として、計算デバイス上で走るアプリケーションと計算デバイスの両方が、コンポーネントであることができる。１つ又は複数のコンポーネントが、プロセス及び／又は実行のスレッド内に常駐でき、また１つのコンポーネントが、１つのコンピュータにローカライズされる、及び／又は２つ以上のコンピュータ間で分散されうる。加えて、これらのコンポーネントは、その上に様々なデータ構造を記憶される様々なコンピュータ可読媒体から実行できる。コンポーネントは、信号によって、ローカルシステム内、分散システム内の別のコンポーネントと、及び／又はインターネットなどのネットワークを介して別のシステムと、対話するコンポーネントからのデータのような、１つ以上のデータパケットを有する信号などに従い、ローカルプロセス及び／又は遠隔プロセスによって通信できる。
【００７４】
更に、様々な態様が、端末に関連してここに記述され、それは有線端末又は無線端末であることができる。端末はまた、システム、デバイス、加入者ユニット、加入者局、移動局、移動体、モバイル・デバイス、遠隔局、遠隔端末、アクセス端末、ユーザ端末、端末、通信デバイス、ユーザ・エージェント、ユーザ・デバイス、又はユーザ機器（ＵＥ）と呼ばれることができる。無線端末は、セルラ電話、衛星電話、コードレス電話、セッション開始プロトコル（ＳＩＰ）電話、無線ローカル・ループ（ＷＬＬ）局、携帯情報端末（ＰＤＡ）、無線接続能力を有するハンドヘルド・デバイス、計算デバイス、あるいは無線モデムに接続された他の処理デバイスであることができる。その上、様々な態様は、基地局に関連してここに記述される。基地局は、（複数の）無線端末と通信するために利用されることができ、アクセス・ポイント、ノードＢ、あるいは何か他の用語として称されうる。
【００７５】
更に、「又は（or）」という用語は、排他的な「又は」ではなく、包括的な「又は」を意味するように意図されている。即ち、別のやり方で規定される、あるいは文脈から明確でない限り、「Ｘは、Ａ又はＢを使用する」という語句は、自然な包括的順列（inclusive permutation）のうちの何れを意味するように意図される。即ち、「Ｘは、Ａ又はＢを使用する」という語句は、次のインスタンスの何れによっても満たされる：Ｘは、Ａを使用する；Ｘは、Ｂを使用する；あるいは、Ｘは、Ａ及びＢの両方を使用する。加えて、この出願及び添付された請求項で使用される冠詞「ａ」及び「ａｎ」は、別のやり方で規定される、あるいは単数形に向けられることが文脈から明確でない限り、一般には「１つ又は複数」を意味するように解釈される。
【００７６】
ここに記述される技術は、ＣＤＭＡ、ＴＤＭＡ、ＦＤＭＡ、ＯＦＤＭＡ、ＳＣ−ＦＤＭＡ及び他のシステムなどの様々な無線通信システムに使用されうる。「システム」及び「ネットワーク」という用語は、しばしば置換可能に使用される。ＣＤＭＡシステムは、ユニバーサル地上無線アクセス（ＵＴＲＡ）、ｃｄｍａ２０００などの無線技術をインプリメントすることができる。ＵＴＲＡは、広帯域ＣＤＭＡ（Ｗ−ＣＤＭＡ）及び他の異なるＣＤＭＡを含む。更に、ｃｄｍａ２０００は、ＩＳ−２０００、ＩＳ−９５及びＩＳ−８５６規格をカバーする。ＴＤＭＡシステムは、グローバル移動体通信システム（ＧＳＭ）（登録商標）のような無線技術をインプリメントすることができる。ＯＦＤＭＡシステムは、発展型ＵＴＲＡ（Ｅ−ＵＴＲＡ）、ウルトラ・モバイル・ブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュ−ＯＦＤＭなどのような無線技術をインプリメントすることができる。ＵＴＲＡ及びＥ−ＵＴＲＡは、ユニバーサル・モバイル・テレコミュニケーション・システム（ＵＭＴＳ）の一部である。３ＧＰＰ ロング・ターム・エボリューション（ＬＴＥ）は、ダウンリンク上でＯＦＤＭＡを使用し、アップリンク上でＳＣ−ＦＤＭＡを使用する、Ｅ−ＵＴＲＡを用いるＵＭＴＳのリリースである。ＵＴＲＡ、Ｅ−ＵＴＲＡ、ＵＭＴＳ、ＬＴＥ及びＧＳＭは、「第３世代パートナシップ計画」（３ＧＰＰ）と命名された組織からの文書に記述されている。加えて、ｃｄｍａ２０００及びＵＭＢは、「第３世代パートナシップ計画２」（３ＧＰＰ２）と命名された組織からの文書に記述されている。更に、このような無線通信システムは、対になっていない無認可のスペクトルをしばしば使用するピア・ツー・ピア（例えば、モバイル・ツー・モバイル）アドホック・ネットワーク・システム、８０２．ｘｘ無線ＬＡＮ、ＢＬＵＥＴＯＯＴＨ（登録商標）、及びその他任意の短距離又は長距離の無線通信の無線通信技術を更に含むことができる。
【００７７】
様々な態様又は特徴が、多くのデバイス、コンポーネント、モジュール、及びそれに類するものを含みうるシステムによって示される。様々なシステムは、追加のデバイス、コンポーネント、モジュールなどを含むことができ、及び／又は図面と関連して論じられた、デバイス、コンポーネント、モジュールなどのうちの全てを含まないことができることが、理解及び評価されるべきである。これらのアプローチの組み合わせもまた使用されうる。
【００７８】
ここに開示される実施形態に関連して記述される、様々な例示的な論理、論理ブロック、モジュール、及び回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）又は他のプログラマブル論理デバイス、個別のゲート又はトランジスタ・ロジック、個別のハードウェア・コンポーネント、あるいはここに記述された機能を実行するために設計されたそれらの任意の組み合わせを用いてインプリメント又は実行されうる。汎用プロセッサは、マイクロプロセッサであることができるが、代わりにおいて、プロセッサは、任意の従来型プロセッサ、制御装置、マイクロコントローラ、又はステート（state）・マシンであることができる。プロセッサはまた、例えば、ＤＳＰとマイクロプロセッサの組み合わせ、複数のマイクロプロセッサ、ＤＳＰのコアと結合している１つ又は複数のマイクロプロセッサ、あるいはその他任意のそのような構成の計算デバイスの組み合わせとしてインプリメントされうる。加えて、少なくとも１つのプロセッサが、上に記述された１つ又は複数のステップ及び／又は動作を実施可能な１つ又は複数のモジュールを具備することができる。
【００７９】
更に、ここに開示された態様に関連して記述されるアルゴリズム又は方法のステップ及び／又は動作は、ハードウェア、プロセッサによって実行されるソフトウェア・モジュール、あるいは２つの組み合わせにおいて直接具体化（embodied）されうる。ソフトウェア・モジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブル・ディスク、ＣＤ−ＲＯＭ、あるいは当該技術において知られているその他任意の形状の記憶媒体に、常駐できる。典型的な記憶媒体は、プロセッサが記憶媒体から情報を読み、またそれに情報を書くことができるように、プロセッサに結合されうる。代わりにおいて、記憶媒体はプロセッサに統合されうる。更に、幾つかの態様では、プロセッサ及び記憶媒体は、ＡＳＩＣに常駐できる。加えて、ＡＳＩＣは、ユーザ端末に常駐できる。代わりにおいて、プロセッサ及び記憶媒体は、ユーザ端末における個別コンポーネントとして常駐できる。加えて、幾つかの態様では、方法又はアルゴリズムのステップ及び／又は動作は、機械可読媒体及び／又はコンピュータ可読媒体上にコード及び／又は命令のセットのうちの１つあるいは任意の組み合わせとして常駐でき、それはコンピュータプログラム製品に組み込まれることができる。
【００８０】
１つ又は複数の態様では、記述された機能は、ハードウェア、ソフトウェア、ファームウェア又はそれらの任意の組み合わせにおいてインプリメントされうる。ソフトウェアでインプリメントされる場合は、機能は、コンピュータ可読媒体上に１つ又は複数の命令又はコードとして送信又は記憶されうる。コンピュータ可読媒体は、１つの場所から別の場所へのコンピュータプログラムの転送を容易にする任意の媒体を含む通信媒体と、コンピュータ記憶媒体との両方を含む。記憶媒体は、コンピュータによってアクセスされることができる任意の利用可能な媒体でありうる。限定ではなく、例として、このようなコンピュータ可読媒体は、ＲＡＭ、ＲＯＭ、ＥＥＰＲＯＭ、ＣＤ−ＲＯＭ又は他の光ディスク記憶装置、磁気ディスク記憶装置又は他の磁気記憶装置のデバイス、あるいはデータ構造又は命令の形式で所望のプログラムコードを格納又は搬送するために使用されることができ、またコンピュータによってアクセスされることができるその他任意の記憶媒体を具備することができる。更に、何れの接続は、コンピュータ可読媒体と称されうる。例えば、ソフトウェアが、同軸ケーブル、光ファイバー・ケーブル、ツイストペア、デジタル加入者回線（ＤＳＬ）、又は赤外線、電波、及びマイクロ波のような無線技術を使用して、ウェブサイト、サーバ又は他の遠隔ソースから送信される場合は、同軸ケーブル、光ファイバー・ケーブル、ツイストペア、ＤＳＬ、又は赤外線、電波、及びマイクロ波のような無線技術は、媒体の定義に含まれる。ここに使用されるディスク（disk）及びディスク（disc）は、コンパクト・ディスク（ＣＤ）、レーザーディスク（登録商標）、光ディスク、デジタル多目的ディスク（ＤＶＤ）、フロッピー（登録商標）・ディスク及びブルーレイ・ディスクを含み、ここでディスク（disk）は、通常磁気的にデータを再生し、一方ディスク（disc）は、通常レーザーを用いて光学的にデータを再生する。上記の組み合わせもまた、コンピュータ可読媒体の範囲内に含まれるべきである。
【００８１】
前述の開示が例示的な態様及び／又は実施形態を論じている一方で、様々な変更及び修正が、添付される請求項によって定義されるような、記述された態様及び／又は実施形態の範囲から逸脱することなくここで行われうることが留意されるべきである。更に、記述された態様及び／又は実施形態の要素は、単数形で請求又は記述されうるが、単数形への制限が明確に規定されてない限り、複数形が意図される。加えて、任意の態様及び／又は実施形態の全ての又は一部は、他の方法で規定されない限り、その他任意の態様及び／又は実施形態の全て又は一部と共に利用されうる。
以下に本件出願当初の特許請求の範囲を付記する。
［Ｃ１］
干渉する基地局から無線送信を受信することと、
前記送信を生成するために前記干渉する基地局によって使用された利用可能なパラメータの制約付きセットにアクセスすることと、
前記パラメータの制約付きセットに基づく複数の仮説を使用して前記送信を復号化することと、
を具備する、無線通信システムにおける干渉を緩和するための方法。
［Ｃ２］
前記無線送信は、割り当て許可メッセージである、［Ｃ１］に記載の方法。
［Ｃ３］
前記利用可能なパラメータは、前記割り当て許可メッセージを送信するための前記リソースを含む、［Ｃ２］に記載の方法。
［Ｃ４］
スケジュールされたデータ送信に関するパラメータを得るために、前記復号化された割り当て許可メッセージを使用することを更に具備する、［Ｃ２］に記載の方法。
［Ｃ５］
ユーザ機器（ＵＥ）によって、前記データ送信を推定することを更に具備する、［Ｃ４］に記載の方法。
［Ｃ６］
前記データ送信を復号化することによって、前記データ送信を推定することを更に具備する、［Ｃ５］に記載の方法。
［Ｃ７］
ユーザ機器（ＵＥ）において、前記推定された送信をキャンセルすることを更に具備する、［Ｃ４］に記載の方法。
［Ｃ８］
前記無線送信は、制御チャネル又はデータ・チャネルである、［Ｃ１］に記載の方法。
［Ｃ９］
利用可能なパラメータは、ユーザ機器（ＵＥ）識別子を含み、前記ＵＥ識別子は、好ましい値のセットに制約される、［Ｃ１］に記載の方法。
［Ｃ１０］
ローカル記憶装置からの可能な無線ネットワーク識別子の前記制約付きセットにアクセスすることを更に具備する、［Ｃ１］に記載の方法。
［Ｃ１１］
前記干渉する基地局から中継される、サービング基地局からの前記利用可能なパラメータの制約付きセットに無線でアクセスすることを更に具備する、［Ｃ１］に記載の方法。
［Ｃ１２］
前記干渉する基地局からのブロードキャスト・チャネルから前記利用可能なパラメータの制約付きセットに無線でアクセスすることを更に具備する、［Ｃ１］に記載の方法。
［Ｃ１３］
前記送信を符号化するために使用されるユーザ機器識別スペースを制限することによって、前記利用可能なパラメータのセットを制限することを更に具備する、［Ｃ１］に記載の方法。
［Ｃ１４］
前記制限されたユーザ機器識別スペースは、前記干渉する基地局のセル識別子に基づいてセル特有である、［Ｃ１３］に記載の方法。
［Ｃ１５］
前記制限されたユーザ機器識別スペースは、セル特有でない、［Ｃ１３］に記載の方法。
［Ｃ１６］
前記制限されたユーザ機器識別スペースは、ターゲット・デバイス識別子のブロック単位で割り当てられ、割り当てを解除される、ここにおいて各ブロックは、前記全体の利用可能なスペースの、相対的に小さい部分を具備する、［Ｃ１３］に記載の方法。
［Ｃ１７］
前記制限されたユーザ機器識別スペースは、セル無線ネットワーク一時識別（ｃ−ＲＮＴＩ）値を具備する、［Ｃ１３］に記載の方法。
［Ｃ１８］
前記干渉する基地局は、フェムトセル・ホーム基地局を具備する、［Ｃ１］に記載の方法。
［Ｃ１９］
ダウンリンク許可リソーススペースを制限することによって、前記利用可能なパラメータのセットを制約することを更に具備する、［Ｃ１］に記載の方法。
［Ｃ２０］
ダウンリンク許可リソーススペースを共通スペースに制限することを更に具備する、［Ｃ１９］に記載の方法。
［Ｃ２１］
ダウンリンク許可リソーススペースを、フェムトセル・ホーム基地局によって提供されるサービスをサポートするように選択される、指定された数のインスタンスに制限することを更に具備する、［Ｃ１９］に記載の方法。
［Ｃ２２］
前記ダウンリンク許可リソーススペースを、複数のタイプのダウンリク制御チャネルのうちの１つに制限することを更に具備する、［Ｃ１９］に記載の方法。
［Ｃ２３］
トラフィック送信をキャンセルすることを更に具備する、［Ｃ１］に記載の方法。
［Ｃ２４］
制御チャネル送信をキャンセルすることを更に具備する、［Ｃ１］に記載の方法。
［Ｃ２５］
干渉除去の利益を示すパイロット強度を報告することと、
干渉除去の利益をより少なく示すパイロット強度を報告している別の無線デバイスより後で、ハイブリッド自動再送要求に関連するターゲット終了を受信することと、
を更に具備し、
前記利用可能なダウンリンク・スケジューリング・パラメータの制約付きセットは、前記干渉する信号を符号化するために使用されるターゲット・デバイス識別子の低減されたセットを備え、また利用可能なダウンリンク許可の低減されたセットを備える、
［Ｃ１］に記載の方法。
［Ｃ２６］
干渉除去のために十分な時間の間リラックスされた、割り当てられたハイブリッド自動再送要求（ＨＡＲＱ）を受信することを更に具備する［Ｃ１］に記載の方法。
［Ｃ２７］
コンピュータに、干渉する基地局からの無線送信を受信させるためのコードのセットと、
前記コンピュータに、前記送信を生成するために前記干渉する基地局によって使用された利用可能なパラメータの制約付きセットにアクセスさせるためのコードのセットと、 前記コンピュータに、前記パラメータの制約付きセットに基づく複数の仮説を使用して前記送信を復号化させるためのコードのセットと、
を具備するコンピュータ可読記憶媒体を具備する、
無線通信システムにおける干渉を緩和するためのコンピュータプログラム製品。
［Ｃ２８］
干渉する基地局から無線送信を受信するための手段と、
前記送信を生成するために前記干渉する基地局によって使用された利用可能なパラメーの制約付きセットにアクセスするための手段と、
を具備する、無線通信における干渉を緩和するための装置。
［Ｃ２９］
干渉基地局から無線送信を受信するための受信機と、
前記送信を生成するために前記干渉する基地局によって使用された利用可能なパラメータの制約付きセットにアクセスするための計算プラットフォームと、
前記パラメータの制約付きセットに基づく複数の仮説を使用して前記送信を復号化するための復号器と、
を具備する、無線通信システムにおける干渉を緩和するための装置。
［Ｃ３０］
前記無線送信は、割り当て許可メッセージである、［Ｃ２９］に記載の装置。
［Ｃ３１］
前記利用可能なパラメータは、前記割り当て許可メッセージを送信するための前記リソースを含む、［Ｃ３０］に記載の装置。
［Ｃ３２］
前記計算プラットフォームは、更に、スケジュールされたデータ送信に関するパラメータを得るために、前記復号化された割り当て許可メッセージを使用するためのものである、［Ｃ３０］に記載の装置。
［Ｃ３３］
前記計算プラットフォームは、更に、ユーザ機器（ＵＥ）によって、前記データ送信を推定するためのものである、［Ｃ３２］に記載の装置。
［Ｃ３４］
前記計算プラットフォームは、更に、前記データ送信を復号化することによって、前記データ送信を推定するためのものである、［Ｃ３３］に記載の装置。
［Ｃ３５］
前記計算プラットフォームは、更に、ユーザ機器（ＵＥ）において、前記推定された送信をキャンセルするためのものである、［Ｃ３２］に記載の装置。
［Ｃ３６］
前記無線送信は、制御チャネル又はデータ・チャネルである、［Ｃ２９］に記載の装置。
［Ｃ３７］
前記利用可能なパラメータは、ユーザ機器（ＵＥ）識別子を含み、前記ＵＥ識別子は、好ましい値のセットに制約される、［Ｃ２９］に記載の装置。
［Ｃ３８］
前記計算プラットフォームは、更に、前記ローカル記憶装置からの可能な無線ネットワーク識別子の制約付きセットにアクセスするためのものである、［Ｃ２９］に記載の装置。
［Ｃ３９］
前記受信機は、更に、前記干渉する基地局から中継される、サービング基地局からの前記利用可能なパラメータの制約付きセットに無線でアクセスするためのものである、［Ｃ２９］に記載の装置。
［Ｃ４０］
前記受信機は、更に、前記干渉する基地局からのブロードキャス・チャネルから前記利用可能なパラメータの制約付きセットに無線でアクセスするためのものである、［Ｃ２９］に記載の装置。
［Ｃ４１］
前記計算プラットフォームは、更に、前記送信を符号化するために使用されるユーザ機器識別スペースを制限することによって、前記利用可能なパラメータのセットを制約するためのものである、［Ｃ２９］に記載の装置。
［Ｃ４２］
前記制限されたユーザ機器識別スペースは、前記干渉する基地局のセル識別子に基づいてセル特有である、［Ｃ４１］に記載の装置。
［Ｃ４３］
前記制限されたユーザ機器識別スペースは、セル特有でない、［Ｃ４１］に記載の装置。
［Ｃ４４］
前記制限されたユーザ機器識別スペースは、ターゲット・デバイス識別子のブロック単位で割り当てられ、及び割り当てを解除され、ここにおいて各ブロックは、前記全体の利用可能なスペースの、相対的に小さい部分を具備する、［Ｃ４１］に記載の装置。
［Ｃ４５］
前記制限されたユーザ機器識別スペースは、セル無線ネットワーク一時識別（ｃ−ＲＮＴＩ）値を具備する、［Ｃ４１記載の装置。
［Ｃ４６］
前記干渉する基地局は、フェムトセル・ホーム基地局を具備する、［Ｃ２９］に記載の装置。
［Ｃ４７］
前記計算プラットフォームは、更に、ダウンリンク許可リソーススペースを制限することによって、前記利用可能なパラメータのセットを制約するためのものである、［Ｃ２９］に記載の装置。
［Ｃ４８］
前記計算プラットフォームは、更に、ダウンリンク許可リソーススペースを共通スペースに制限するためのものである、［Ｃ４７］に記載の装置。
［Ｃ４９］
前記計算プラットフォームは、更に、ダウンリンク許可リソーススペースを、フェムトセル・ホーム基地局によって提供されるサービスをサポートするように選択される、指定された数のインスタンスに制限するためのものである、［Ｃ４７］に記載の装置。
［Ｃ５０］
前記計算プラットフォームは、更に、ダウンリンク許可リソーススペースを、複数のタイプのダウンリク制御チャネルのうちの１つに制限するためのものである、［Ｃ４７］に記載の装置。
［Ｃ５１］
前記計算プラットフォームは、更に、トラフィック送信をキャンセルするためのものである、［Ｃ２９］に記載の装置。
［Ｃ５２］
前記計算プラットフォームは、更に、制御チャネル送信をキャンセルするためのものである、［Ｃ２９］に記載の装置。
［Ｃ５３］
干渉除去の利益を示すパイロット強度を報告するための送信機、
ここにおいて前記受信機は、更に、干渉除去の利益をより少なく示すパイロット強度を報告している別の無線デバイスより後で、ハイブリッド自動再送要求に関連するターゲット終了を受信するためのものであり、
ここにおいて前記利用可能なダウンリンク・スケジューリング・パラメータの制約付きセットは、前記干渉する信号を符号化するために使用されるターゲット・デバイス識別子の低減されたセットを備え、また利用可能なダウンリンク許可の低減されたセットを備える、
を更に具備する、［Ｃ２９］に記載の装置。
［Ｃ５４］
干渉除去のために十分な時間の間リラックスされた、割り当てられたハイブリッド自動再送要求（ＨＡＲＱ）を受信することを更に具備する［Ｃ２９］に記載の装置。
［Ｃ５５］
利用可能なパラメータの制約付きセットにアクセルすることと、
ターゲット無線デバイスに割り当てられた前記利用可能なパラメータの制約付きセットのうちの選択された１つを使用して送信を符号化することと、
前記符号化された送信を無線でユニキャストすることと、
ここにおいて前記パラメータの制約付きセットは、サービスされないユーザ機器（ＵＥ）が前記リソースの制約付きセットに基づく複数の仮説を使用して前記送信を復号化するのに十分であるように選択される、
を具備する、無線デバイスに無線通信システムにおける干渉を緩和することを可能にするための方法。
［Ｃ５６］
サービスされる第１及び第２の無線デバイスからチャネル品質報告を受信することと、 前記サービスされる第１の無線デバイスは、干渉除去から利益を得るのに対して、第２の無線デバイスは、利益を得ないことを決定することと、
前記第２の無線デバイスより後のターゲット終了を前記第１の無線デバイスに割り当てることと、
を更に具備する、［Ｃ５５］に記載の方法。
［Ｃ５７］
前記送信を符号化するために使用されるターゲット・デバイス識別子の低減されたセットを具備し、また利用可能なダウンリンク許可の低減されたセットを具備する、前記利用可能なパラメータの制約付きセットにアクセスすることと、
干渉除去の利益を示すパイロット強度報告を受信することと、
ハイブリッド自動再送要求に関連するターゲット終了を送信することと、
を更に具備する、［Ｃ５６］に記載の方法。
［Ｃ５８］
コンピュータに、利用可能なパラメータの制約付きセットにアクセスさせるための第１のコードのセットと、
前記コンピュータに、ターゲット無線デバイスに割り当てられた前記利用可能なパラメータの制約付きセットのうちの選択された１つを使用して送信を符号化させるための第２のコードのセットと、
前記コンピュータに、前記符号化された送信を無線でユニキャストさせるための第３のコードのセットと、
を具備するコンピュータ可読記憶媒体、
ここにおいて前記パラメータの制約付きセットは、サービスされないユーザ機器（ＵＥ）が前記リソースの制約付きセットに基づく複数の仮説を使用して前記送信を復号化するのに十分であるように選択される、
を具備する、無線デバイスに無線通信システムにおける干渉を緩和することを可能にするためのコンピュータプログラム製品。
［Ｃ５９］
利用可能なパラメータの制約付きセットにアクセスする手段と、
ターゲット無線デバイスに割り当てられた前記利用可能なパラメータの制約付きセットのうちの選択された１つを使用して送信を符号化するための手段と、
前記符号化された送信を無線でユニキャストするための手段と、
ここにおいて前記パラメータの制約付きセットは、サービスされないユーザ機器（ＵＥ）が前記リソースの制約付きセットに基づく複数の仮説を使用して前記送信を復号化するのに十分であるように選択される、
を具備する、無線デバイスに無線通信システムにおける干渉を緩和することを可能にするための装置。
［Ｃ６０］
利用可能なパラメータの制約付きセットにアクセスするための計算プラットフォームと、
ターゲット無線デバイスに割り当てられた前記利用可能なパラメータの制約付きセットのうちの選択された１つを使用して送信を符号化するための符号器と、
前記符号化された送信を無線でユニキャストするための送信機と、
ここにおいて前記パラメータの制約付きセットは、サービスされないユーザ機器（ＵＥ）が前記リソースの制約付きセットに基づく複数の仮説を使用して前記送信を復号化するのに十分であるように選択される、
を具備する、無線デバイスに無線通信システムにおける干渉を緩和することを可能にするための装置。
［Ｃ６１］
サービスされる第１及び第２の無線デバイスからチャネル品質報告を受信するための受信機、
ここにおいて前記計算プラットフォームは、更に、前記サービスされる第１の無線デバイスは、干渉除去から利益を得るのに対して、第２の無線デバイスは、利益を得ないことを決定するためのものであり、
ここにおいて前記送信機は、更に、前記第２の無線デバイスより後のターゲット終了を前記第１の無線デバイスに割り当てるためのものである、
を更に具備する、［Ｃ６０］に記載の装置。
［Ｃ６２］
前記計算プラットフォームは、更に、前記送信を符号化するために使用されるターゲット・デバイス識別子の低減されたセットを具備し、また利用可能なダウンリンク許可の低減されたセットを具備する、前記利用可能なパラメータの制約付きセットにアクセスするためのものであり、
ここにおいて前記受信機は、更に、干渉除去の利益を示すパイロット強度報告を受信するためのものであり、
ここにおいて前記送信機は、更に、ハイブリッド自動再送要求に関連するターゲット終了を送信する為のものである、
［Ｃ６１］に記載の方法。
【図１】
0005362851.tif 000002
【図２】
0005362851.tif 000003
【図３】
0005362851.tif 000004
【図４】
0005362851.tif 000005
【図５】
0005362851.tif 000006
【図６】
0005362851.tif 000007
【図７】
0005362851.tif 000008
【図８】
0005362851.tif 000009
【図９】
0005362851.tif 000010
【図１０】
0005362851.tif 000011
【図１１】
0005362851.tif 000012